(57)【要約】【課題】基地局を提供する。【解決手段】基地局は、加入者局がプリコーディングマトリクス指示子／ランク指示子（ＰＭＩ／ＲＩ）報告で設定（ｃｏｎｆｉｇｕｒｅｄ）されるか否かを指示する指示子を伝送する伝送経路回路を含む。前記伝送経路回路は、前記加入者局がＰＭＩ／ＲＩ報告で設定されれば、バンドリングされたリソースブロックにわたって同一のプリコーディングが行われるように、周波数ドメインで複数の物理リソースブロックをプリコーディング単位に設定する。前記バンドリングされたリソースブロックは、周波数ドメインで複数の連続した物理リソースブロックを含む。前記基地局は、また、前記加入者局からフィードバックを受信する受信経路回路を含む。【選択図】図１
2014241633.tif 000002
【特許請求の範囲】
【請求項１】
無線通信システムの基地局において、
報告のための情報を端末に伝送し、前記報告のための情報にしたがってプリコーディングマトリクス指示子／ランク指示子（ＰＭＩ／ＲＩ：Ｐｒｅｃｏｄｉｎｇ  Ｍａｔｒｉｘ  Ｉｎｄｉｃａｔｏｒ／Ｒａｎｋ  Ｉｎｄｉｃａｔｏｒ）が設定された場合及び前記端末が予め定められた伝送モードに設定された場合、リソースブロックグループ（ｒｅｓｏｕｒｃｅ  ｂｌｏｃｋ  ｇｒｏｕｐ）内のすべての物理リソースブロックのプリコーディングを同一に適用するように設定された伝送回路と、
前記端末から報告を受信する受信回路と、を含む
ことを特徴とする基地局。
【請求項２】
前記予め定められた伝送モードは、９又は１０である
ことを特徴とする請求項１に記載の基地局。
【請求項３】
前記リソースブロックグループ内のすべての物理リソースブロックの数字は、システム帯域幅によって決定される
ことを特徴とする請求項１に記載の基地局。
【請求項４】
前記リソースブロックグループは、少なくとも１つの連続的な物理リソースブロックを含む
ことを特徴とする請求項１に記載の基地局。
【請求項５】
前記伝送回路は、ＰＭＩ／ＲＩが設定されない場合、１つの物理リソースブロックにプリコーディングを同一に適用する
ことを特徴とする請求項１に記載の基地局。
【請求項６】
無線通信システムの基地局の動作方法において、
端末に報告のための情報を伝送する段階と、
前記報告のための情報にしたがってプリコーディングマトリクス指示子／ランク指示子（ＰＭＩ／ＲＩ：Ｐｒｅｃｏｄｉｎｇ  Ｍａｔｒｉｘ  Ｉｎｄｉｃａｔｏｒ／Ｒａｎｋ  Ｉｎｄｉｃａｔｏｒ）が設定された場合及び前記端末が予め定められた伝送モードに設定された場合、リソースブロックグループ（ｒｅｓｏｕｒｃｅ  ｂｌｏｃｋ  ｇｒｏｕｐ）内のすべての物理リソースブロックのプリコーディングを同一に適用する段階と、
前記端末から報告を受信する段階と、を含む
ことを特徴とする基地局の動作方法。
【請求項７】
前記予め定められた伝送モードは、９又は１０である
ことを特徴とする請求項６に記載の基地局の動作方法。
【請求項８】
前記リソースブロックグループ内のすべての物理リソースブロックの数字は、システム帯域幅によって決定される
ことを特徴とする請求項６に記載の基地局の動作方法。
【請求項９】
前記リソースブロックグループは、少なくとも１つの連続的な物理リソースブロックを含む
ことを特徴とする請求項６に記載の基地局の動作方法。
【請求項１０】
前記伝送回路は、ＰＭＩ／ＲＩが設定されない場合、１つの物理リソースブロックにプリコーディングを同一に適用する
ことを特徴とする請求項６に記載の基地局の動作方法。
【請求項１１】
無線通信システムの端末において、
基地局から報告のための情報を受信し、前記報告のための情報によってプリコーディングマトリクス指示子／ランク指示子（ＰＭＩ／ＲＩ：Ｐｒｅｃｏｄｉｎｇ  Ｍａｔｒｉｘ  Ｉｎｄｉｃａｔｏｒ／Ｒａｎｋ  Ｉｎｄｉｃａｔｏｒ）が設定された場合及び前記端末が予め定められた伝送モードに設定された場合、リソースブロックグループ（ｒｅｓｏｕｒｃｅ  ｂｌｏｃｋ  ｇｒｏｕｐ）内のすべての物理リソースブロックのプリコーディングを同一に識別するように設定された受信回路と、
前記基地局に報告を伝送するように設定された伝送回路と、を含む
ことを特徴とする端末。
【請求項１２】
前記予め定められた伝送モードは、９又は１０である
ことを特徴とする請求項１１に記載の端末。
【請求項１３】
前記リソースブロックグループ内のすべての物理リソースブロックの数字は、システム帯域幅によって決定される
ことを特徴とする請求項１１に記載の端末。
【請求項１４】
前記リソースブロックグループは、少なくとも１つの連続的な物理リソースブロックを含む
ことを特徴とする請求項１１に記載の端末。
【請求項１５】
前記伝送回路は、ＰＭＩ／ＲＩが設定されない場合、１つの物理リソースブロックにプリコーディングを同一に適用する
ことを特徴とする請求項１１に記載の端末。
【請求項１６】
無線通信システムの端末の動作方法において、
基地局から報告のための情報を受信する段階と、
前記報告のための情報にしたがってプリコーディングマトリクス指示子／ランク指示子（ＰＭＩ／ＲＩ：Ｐｒｅｃｏｄｉｎｇ  Ｍａｔｒｉｘ  Ｉｎｄｉｃａｔｏｒ／Ｒａｎｋ  Ｉｎｄｉｃａｔｏｒ）が設定された場合及び前記端末が予め定められた伝送モードに設定された場合、リソースブロックグループ（ｒｅｓｏｕｒｃｅ  ｂｌｏｃｋ  ｇｒｏｕｐ）内のすべての物理リソースブロックのプリコーディングを同一に識別する段階と、
前記基地局に報告を伝送する段階と、を含む
ことを特徴とする端末の動作方法。
【請求項１７】
前記予め定められた伝送モードは、９又は１０である
ことを特徴とする請求項１７に記載の端末の動作方法。
【請求項１８】
前記リソースブロックグループ内のすべての物理リソースブロックの数字は、システム帯域幅によって決定される
ことを特徴とする請求項１７に記載の端末の動作方法。
【請求項１９】
前記リソースブロックグループは、少なくとも１つの連続的な物理リソースブロックを含む
ことを特徴とする請求項１７に記載の端末の動作方法。
【請求項２０】
前記伝送回路は、ＰＭＩ／ＲＩが設定されない場合、１つの物理リソースブロックにプリコーディングを同一に適用する
ことを特徴とする請求項１７に記載の端末の動作方法。
【発明の詳細な説明】
【技術分野】
【０００１】
本発明は、一般的に無線通信に関し、より詳細には、リソースブロックバンドリングを可能にするための方法及びシステムに関する。
【背景技術】
【０００２】
３ＧＰＰ ＬＴＥ（３ｒｄ Ｇｅｎｅｒａｔｉｏｎ Ｐａｒｔｎｅｒｓｈｉｐ Ｐｒｏｊｅｃｔ Ｌｏｎｇ Ｔｅｒｍ Ｅｖｏｌｕｔｉｏｎ）において、直交周波数分割多重化（ＯＦＤＭ：Ｏｒｔｈｏｇｏｎａｌ Ｆｒｅｑｕｅｎｃｙ Ｄｉｖｉｓｉｏｎ Ｍｕｌｔｉｐｌｅｘｉｎｇ）が、ダウンリンク（ＤＬ：ｄｏｗｎｌｉｎｋ）の伝送スキーム（ｓｃｈｅｍｅ）として採択されている。
【先行技術文献】
【非特許文献】
【０００３】
【非特許文献１】２００９年１２月、３ＧＰＰ ＴＳ ３６．２１２ ｖ ８．８．０、“Ｅ−ＵＴＲＡ、Ｍｕｌｔｉｐｌｅｘｉｎｇ ａｎｄ Ｃｈａｎｎｅｌ Ｃｏｄｉｎｇ”
【非特許文献２】２００９年１月、Ｒ１−０９０５２９“Ｗａｙ ｆｏｒｗａｒｄ ｏｎ ＣｏＭＰ ａｎｄ ＭＩＭＯ ＤＬ ＲＳ”
【非特許文献３】２００９年３月、Ｒ１−０９１０６６“Ｗａｙ ｆｏｒｗａｒｄ ｏｎ ｄｏｗｎｌｉｎｋ ｒｅｆｅｒｅｎｃｅ ｓｉｇｎａｌｓ ｆｏｒ ＬＴＥ−Ａ”
【非特許文献４】２００９年１０月、ミヤザキ（Ｍｉｙａｚａｋｉ）、３ＧＰＰ ＲＡＮ１＃５８ｂｉｓ、Ｒ１−０９４４１３、“Ｗａｙ ｆｏｒｗａｒｄ ｏｎ ｔｈｅ ｄｅｔａｉｌｓ ｏｆ ＤＣＩ ｆｏｒｍａｔ ２Ｂ ｆｏｒ ｅｎｈａｎｃｅｄ ＤＬ ｔｒａｎｓｍｉｓｓｉｏｎ”
【非特許文献５】２００９年８月、Ｒ１−０９３１０５、“ＵＥ−ＲＳ Ｐａｔｔｅｒｎｓ ｆｏｒ ＬＴＥ−Ａ”
【非特許文献６】２００９年１１月、Ｒ１−０９４５７５、“Ｄｉｓｃｕｓｓｉｏｎ ｏｎ ＤＭ−ＲＳ ｆｏｒ ＬＴＥ−Ａｄｖａｎｃｅｄ”
【非特許文献７】２００９年１１月、Ｒ１−０９４４３８、“Ｏｎ Ｒｅｌ−１０ ＤＭ ＲＳ ｄｅｓｉｇｎ ｆｏｒ ｒａｎｋ５−８”
【非特許文献８】２００９年１１月、Ｒ１−０９４５４８、“Ｆｕｒｔｈｅｒ ｉｎｖｅｓｔｉｇａｔｉｏｎ ｏｎ ＤＭＲＳ ｄｅｓｉｇｎ ｆｏｒ ＬＴＥ−Ａ”
【非特許文献９】２００９年１２月、３ＧＰＰ ＴＳ ３６．２１３ ｖ ８．８．０、“Ｅ−ＵＴＲＡ、Ｐｈｙｓｉｃａｌ Ｌａｙｅｒ Ｐｒｏｃｅｄｕｒｅｓ”
【非特許文献１０】３ＧＰＰ ＴＳ ３６．２１３ ｖ ８．８．０、“Ｅ−ＵＴＲＡ、Ｐｈｙｓｉｃａｌ Ｌａｙｅｒ Ｐｒｏｃｅｄｕｒｅｓ”
【非特許文献１１】２００９年１２月、３ＧＰＰ ＴＳ ３６．２１１ ｖ ８．８．０、“Ｅ−ＵＴＲＡ、Ｐｈｙｓｉｃａｌ ｃｈａｎｎｅｌｓ ａｎｄ ｍｏｄｕｌａｔｉｏｎ”
【発明の概要】
【発明が解決しようとする課題】
【０００４】
前述した論議の観点から見れば、３ＧＰＰ ＬＴＥにおいてダウンリンク伝送スキームとしてＯＦＤＭを採択する必要性がある。
【課題を解決するための手段】
【０００５】
基地局が提供される。前記基地局は、加入者局がプリコーディングマトリクス指示子／ランク指示子（ＰＭＩ／ＲＩ）報告で設定（ｃｏｎｆｉｇｕｒｅｄ）されるか否かを指示する指示子を伝送するように構成される伝送経路回路を含む。前記伝送経路回路は、前記加入者局がＰＭＩ／ＲＩ報告で設定されれば、バンドリングされたリソースブロックにわたって同一のプリコーディングを行うように、周波数ドメインで複数の物理リソースブロックをプリコーディング単位に設定（ｓｅｔ）するように構成される。前記バンドリングされたリソースブロックは、周波数ドメインで複数の連続した物理リソースブロックを含む。前記基地局は、また、前記加入者局からフィードバックを受信するように構成される受信経路回路を含む。
【０００６】
基地局を動作させる方法が提供される。前記方法は、加入者局がプリコーディングマトリクス指示子／ランク指示子（ＰＭＩ／ＲＩ）報告で設定（ｃｏｎｆｉｇｕｒｅｄ）されるか否かの指示子を伝送する段階と、前記加入者局がＰＭＩ／ＲＩ報告で設定されれば、バンドリングされたリソースブロックにわたって同一のプリコーディングを行うように、周波数ドメインで複数の物理リソースブロックをプリコーディング単位に設定（ｓｅｔ）する段階とを含む。前記バンドリングされたリソースブロックは、周波数ドメインで複数の連続した物理リソースブロックを含む。また、前記方法は、前記加入者局からフィードバックを受信する段階を含む。
【０００７】
加入者局が提供される。前記加入者局は、加入者局がプリコーディングマトリクス指示子／ランク指示子（ＰＭＩ／ＲＩ）報告で設定されるか否かを示す指示子を基地局から受信し、前記加入者局がＰＭＩ／ＲＩ報告で設定されれば、バンドリングされたリソースブロックにわたってチャネル推定を行うように構成される受信経路回路を含む。前記バンドリングされたリソースブロックは、周波数ドメインで複数の連続した物理リソースブロックを含む。また、前記加入者局は、前記基地局にフィードバックでチャネル推定を伝送するように構成される伝送経路回路を含む。
【０００８】
加入者局を動作させる方法が提供される。前記方法は、加入者局がプリコーディングマトリクス指示子／ランク指示子（ＰＭＩ／ＲＩ）報告で設定されるか否かを示す指示子を基地局から受信する段階と、前記加入者局がＰＭＩ／ＲＩ報告で設定されれば、バンドリングされたリソースブロックにわたってチャネル推定を行う段階とを含む。前記バンドリングされたリソースブロックは、周波数ドメインで複数の連続した物理リソースブロックを含む。また、前記方法は、基地局にフィードバックで前記チャネル推定を伝送する段階を含む。
【０００９】
基地局が提供される。前記基地局は、加入者局に第１フィードバックモードまたは第２フィードバックモードを示す指示子を伝送するように構成される伝送経路回路を含む。また、前記伝送経路回路は、前記第１フィードバックモードが前記指示子によって指示されれば、バンドリングされたリソースブロックにわたって同一のプリコーディングを行うように周波数ドメインで複数の物理リソースブロックをプリコーディング単位に設定するように構成される。前記バンドリングされたリソースブロックは、複数の連続した物理リソースブロックを含む。前記基地局は、また、前記加入者局からフィードバックを受信するように構成される受信経路回路を含む。
【００１０】
基地局を動作させる方法が提供される。前記方法は、加入者局に第１フィードバックモードまたは第２フィードバックモードを示す指示子を伝送する段階と、前記加入者局からフィードバックを受信する段階と、前記第１フィードバックモードが指示子によって指示されれば、バンドリングされたリソースブロックにわたって同一のプリコーディングを行うように周波数ドメインで複数の物理リソースブロックをプリコーディング単位に設定する段階とを含む。前記バンドリングされたリソースブロックは、複数の連続した物理リソースブロックを含む。前記方法は、また、前記加入者局からフィードバックを受信する段階を含む。
【００１１】
加入者局が提供される。前記加入者局は、基地局から第１フィードバックモードまたは第２フィードバックモードを指示する指示子を受信し、前記第１フィードバックモードが前記指示子によって指示されれば、バンドリングされたリソースブロックにわたってチャネル推定を行うように構成される受信経路回路を含む。前記バンドリングされたリソースブロックは、周波数ドメインで複数の連続した物理リソースブロックを含む。前記加入者局は、また、前記基地局にフィードバックで前記チャネル推定を伝送するように構成される伝送経路回路を含む。
【００１２】
下記のような本発明の詳細な説明に入るに先立って、本特許文献全体にわたって使用される任意の単語、そして構文の一部に対する定義について説明するのが有利であろう。用語“備える（ｉｎｃｌｕｄｅ）”、そして“含む（ｃｏｍｐｒｉｓｅ）”は、それから派生したものと共に、制限なしに含まれることを意味する。用語“または（ｏｒ）”は、及び／または（ａｎｄ／ｏｒ）の意味を含むことができる。構文“それと関連した（ａｓｓｏｃｉａｔｅｄ ｗｉｔｈ）”、そして“それとともに関連した（ａｓｓｏｃｉａｔｅｄ ｔｈｅｒｅｗｉｔｈ）”は、それから派生したものと共に、備える（ｉｎｃｌｕｄｅ）、その中に備えられる（ｂｅ ｉｎｃｌｕｄｅｄ ｗｉｔｈｉｎ）、互いに連結する（ｉｎｔｅｒｃｏｎｎｅｃｔ ｗｉｔｈ）、含む（ｃｏｎｔａｉｎ）、内に含まれる（ｂｅ ｃｏｎｔａｉｎｅｄ ｗｉｔｈｉｎ）、何にまたは何と接続する（ｃｏｎｎｅｃｔ ｔｏ ｏｒ ｗｉｔｈ）、何にまたは何と結合する（ｃｏｕｐｌｅ ｔｏ ｏｒ ｗｉｔｈ）、何と通信可能な（ｂｅ ｃｏｍｍｕｎｉｃａｂｌｅ ｗｉｔｈ）、何に協力する（ｃｏｏｐｅｒａｔｅ ｗｉｔｈ）、インターリーブ（ｉｎｔｅｒｌｅａｖｅ）、並置する（ｊｕｘｔａｐｏｓｅ）、何に近似する（ｂｅ ｐｒｏｘｉｍａｔｅ ｔｏ）、それとまたはそれに対して境界を成す（ｂｅ ｂｏｕｎｄ ｔｏ ｏｒ ｗｉｔｈ）、有する（ｈａｖｅ）、何の資産を有する（ｈａｖｅ ａ ｐｒｏｐｅｒｔｙ ｏｆ）などの意味になることができる。用語“制御装置（ｃｏｎｔｒｏｌｌｅｒ）”は、ハードウェア、ファームウエア、ソフトウェアまたは前述したもの（ハードウェア、ファームウエア、ソフトウェア）のうち少なくとも２個の組合で具現されるそのような装置の少なくとも１つの動作を制御する任意の装置、システムまたはそれらの一部を意味する。ある個別制御装置に関連した機能は、近接、または遠隔で、中央集中されるか、または分散されることができることに留意しなければならない。単語及び構文に対する定義は、この特許文献全体にわたって提供され、この技術分野における通常の知識を有する者は、多くの場合に、あるいは、そうでなければ大部分の場合で、そのように定義された単語と構文の今後の使用と共に、先立って適用されたそのような定義を理解することができる。
【発明の効果】
【００１３】
本発明によれば、３ＧＰＰ ＬＴＥでダウンリンク伝送スキームとして直交周波数分割多重化（ＯＦＤＭ）が採択される。
【００１４】
本発明の実施例と本発明の利得に対するさらに明確な理解のために、参照は、添付の図面とともに取られる次の詳細な説明に使用される。図面で、同一の参照番号は、同一の部分を示す。
【図面の簡単な説明】
【００１５】
【図１】本発明の原理によるアップリンクのメッセージを伝送する例示的な無線ネットワーク１００を示す。
【図２】本発明の一実施例による直交周波数分割多重接続（ＯＦＤＭＡ：ｏｒｔｈｏｇｏｎａｌ ｆｒｅｑｕｅｎｃｙ ｄｉｖｉｓｉｏｎ ｍｕｌｔｉｐｌｅ ａｃｃｅｓｓ）受信機の上位階層図である。
【図３】本発明の一実施例による直交周波数分割多重接続（ＯＦＤＭＡ：ｏｒｔｈｏｇｏｎａｌ ｆｒｅｑｕｅｎｃｙ ｄｉｖｉｓｉｏｎ ｍｕｌｔｉｐｌｅ ａｃｃｅｓｓ）受信機の上位階層図である。
【図４】本発明の一実施例による複数の移動局と通信を行う基地局を示す。
【図５】本発明の実施例による空間分割多重接続（ＳＤＭＡ：ｓｐａｔｉａｌ ｄｉｖｉｓｉｏｎ ｍｕｌｔｉｐｌｅ ａｃｃｅｓｓ）スキームを示す。
【図６】本発明の実施例による２及び４階層伝送をサポートする専用リファレンス信号（ＤＲＳ：ｄｅｄｉｃａｔｅｄ ｒｅｆｅｒｅｎｃｅ ｓｉｇｎａｌ）パターンを示す。
【図７】本発明の実施例による８階層伝送をサポートする専用リファレンス信号（ＤＲＳ）パターンを示す図である。
【図８】本発明の実施例によるリソースブロック（ＲＢ：ｒｅｓｏｕｒｃｅ ｂｌｏｃｋ）バンドリングをターンオンまたはターンオフするための１ビットシグナリングの使用を説明するテーブルを示す。
【図９】本発明の実施例によるリソースブロック（ＲＢ）バンドリングをターンオンまたはターンオフするために利用可能なダウンリンク制御情報（ＤＣＩ）コードポイントの使用を説明するテーブルを示す。
【図１０】本発明の実施例によって一緒にバンドリングされたサブバンドを示す。
【図１１】本発明の実施例によるダウンリンク制御情報（ＤＣＩ）フォーマット２Ｃを示す。
【図１２】本発明の実施例による制限されたサブセットを説明するテーブルを示す。
【図１３】本発明の実施例によってダウンリンク制御情報（ＤＣＩ）フォーマット２Ｃのコードポイントに対して制限されたサブセットの状態をマッピングすることを説明するテーブルを示す。
【図１４】本発明の他の実施例による制限されたサブセットを説明するテーブル１４００を示す。
【図１５】本発明の実施例によってダウンリンク制御情報（ＤＣＩ）フォーマット２Ｃのコードポイントに対して制限されたサブセットの状態をマッピングすることを説明するテーブルを示す。
【図１６】本発明の一実施例による基地局（ＢＳ）を動作させる方法を示す。
【図１７】本発明の一実施例による加入者局を動作させる方法を示す。
【図１８】本発明の他の実施例による基地局を動作させる方法を示す。
【図１９】本発明の他の実施例による加入者局を動作させる方法を示す。
【発明を実施するための形態】
【００１６】
この明細書で本発明の原理を説明するために使用された図１ないし図１９及び様々な実施例は、ただ説明のための目的で使用され、本発明の範囲を制限するものに解釈すべきではない。この技術分野における通常の知識を有する者なら適切に定められたいかなる無線通信システムにも本発明の原理が具現されることができることを理解することができる。
【００１７】
下記の説明と関連して、ＬＴＥ（Ｌｏｎｇ Ｔｅｒｍ Ｅｖｏｌｕｔｉｏｎ）用語“ノードＢ（ｎｏｄｅ Ｂ）”は、下記で使用される他の用語“基地局（ｂａｓｅ ｓｔａｔｉｏｎ）”に代替されることができることを留意しなければならない。また、ＬＴＥ用語“ユーザ装置（ｕｓｅｒ ｅｑｕｉｐｍｅｎｔ）”または“ＵＥ”は、下記で使用される他の用語“加入者局（ｓｕｂｓｃｒｉｂｅｒ ｓｔａｔｉｏｎ）”に代替されることができる。
【００１８】
図１は、本発明の原理によるメッセージを伝送する例示的な無線ネットワーク１００を示す。図示の実施例において、無線ネットワーク１００は、基地局（ＢＳ）１０１、基地局（ＢＳ）１０２、基地局（ＢＳ）１０３及び他の類似の基地局（図示せず）を含む。
【００１９】
基地局（ＢＳ）１０１は、インターネット１３０または類似のＩＰ基盤ネットワーク（図示せず）と通信を行う。
【００２０】
基地局（ＢＳ）１０２は、基地局１０２のカバレージ領域１２０内で第１の複数の加入者局にインターネット１３０に対する無線ワイドバンド接続を提供する。第１の複数の加入者局は、小さな事業場ＳＢ（Ｓｍａｌｌ ｂｕｓｉｎｅｓｓ）に位置することができる加入者局１１１、大企業（ｅｎｔｅｒｐｒｉｓｅ）Ｅに位置することができる加入者局１１２、ワイファイ（ＷｉＦｉ：ｗｉｒｅｌｅｓｓ ｆｉｄｅｌｉｔｙ）ホットスポットＨＳ（ｈｏｔｓｐｏｔ）に位置することができる加入者局１１３、第１居住地（Ｒ）に位置することができる加入者局１１４、第２居住地（Ｒ）に位置することができる加入者局１１５、及びセルフォン（ｃｅｌｌ ｐｈｏｎｅ）、無線ラップトップ、無線ＰＤＡなどのようなモバイル装置（Ｍ）になることができる加入者局１１６を含む。
【００２１】
基地局（ＢＳ）１０３は、基地局１０３のカバレージ領域１２５内の第２の複数の加入者局にインターネット１３０に対する無線ワイドバンド接続を提供する。第２の複数の加入者局は、加入者局１１５及び加入者局１１６を含む。一実施例において、基地局１０１〜１０３は、直交周波数分割多重化（ＯＦＤＭ：Ｏｒｔｈｏｇｏｎａｌ Ｆｒｅｑｕｅｎｃｙ Ｄｉｖｉｓｉｏｎ Ｍｕｌｔｉｐｌｅｘｉｎｇ）または直交周波数分割多重接続（ＯＦＤＭＡ：Ｏｒｔｈｏｇｏｎａｌ ｆｒｅｑｕｅｎｃｙ ｄｉｖｉｓｉｏｎ ｍｕｌｔｉｐｌｅ ａｃｃｅｓｓ）技術を利用して相互間に、そして加入者局１１１〜１１６と通信を行うことができる。
【００２２】
６個の加入者局のみが図１に示されているが、無線ネットワーク１００は、追加の加入者局に無線ワイドバンド接続を提供することができるものと理解しなければならない。加入者局１１５及び加入者局１１６は、カバレージ領域１２０及びカバレージ領域１２５の両方のエッジ上に位置することに注目しなければならない。加入者局１１５及び加入者局１１６の各々は、基地局１０２及び基地局１０３の両方と通信を行い、この技術分野において通常の知識を有する者に知られたような、ハンドオフ（ｈａｎｄｏｆｆ）モードで動作すると言える。
【００２３】
加入者局１１１〜１１６は、インターネット１３０を介して音声、データ、ビデオ、ビデオ会議、及び／または他のワイドバンドサービスに接続することができる。一実施例において、１つ以上の加入者局１１１〜１１６は、ワイファイ無線ＬＡＮ（ＷｉＦｉ ＷＬＡＮ）のアクセスポイント（ＡＰ：ａｃｃｅｓｓ ｐｏｉｎｔ）に連動されることができる。加入者局１１６は、無線連結可能なラップトップコンピュータ、ＰＤＡ（ｐｅｒｓｏｎａｌ ｄａｔａ ａｓｓｉｓｔａｎｔ）、ノートパソコン、携帯用装置を含む複数のモバイル装置のうちいかなるものでも使用することができる。加入者局１１４及び１１５は、例えば、無線接続対応のパソコン（ＰＣ）、ラップトップコンピュータ、ゲートウェイ、または他の装置になることができる。
【００２４】
図２は、直交周波数分割多重接続（ＯＦＤＭＡ：ｏｒｔｈｏｇｏｎａｌ ｆｒｅｑｕｅｎｃｙ ｄｉｖｉｓｉｏｎ ｍｕｌｔｉｐｌｅ ａｃｃｅｓｓ）伝送経路２００の上位階層図である。図３は、直交周波数分割多重接続（ＯＦＤＭＡ：ｏｒｔｈｏｇｏｎａｌ ｆｒｅｑｕｅｎｃｙ ｄｉｖｉｓｉｏｎ ｍｕｌｔｉｐｌｅ ａｃｃｅｓｓ）受信経路３００の上位階層図である。図２及び図３で、ただ説明及び図示を目的として、直交周波数分割多重接続（ＯＦＤＭＡ）伝送経路２００は、基地局（ＢＳ）１０２に具現され、直交周波数分割多重接続（ＯＦＤＭＡ）受信経路３００は、加入者局（ＳＳ）１１６に具現されている。しかし、直交周波数分割多重接続（ＯＦＤＭＡ）受信経路３００も、基地局１０２に具現されることもでき、直交周波数分割多重接続（ＯＦＤＭＡ）伝送経路２００も、加入者局１１６に具現されることができることをこの技術分野において通常の知識を有する者なら理解することができる。
【００２５】
基地局１０２の伝送経路２００は、チャネルコーディング及び変調ブロック２０５、シリアル-パラレル（ｓｅｒｉａｌ−ｔｏ−ｐａｒａｌｌｅｌ：Ｓ−ｔｏ−Ｐ）ブロック２１０、サイズＮの逆高速フーリエ変換（ＩＦＦＴ：Ｉｎｖｅｒｓｅ Ｆａｓｔ Ｆｏｕｒｉｅｒ Ｔｒａｎｓｆｏｒｍ）ブロック２１５、パラレル-シリアル（ｐａｒａｌｌｅｌ−ｔｏ−ｓｅｒｉａｌ：Ｐ−ｔｏ−Ｓ）ブロック２２０、サイクリックプレフィックス（ＣＰ：ｃｙｃｌｉｃ ｐｒｅｆｉｘ）挿入ブロック２２５、アップコンバータ（ＵＣ：ｕｐ−ｃｏｎｖｅｒｔｅｒ）２３０、リファレンス信号多重化器２９０、リファレンス信号割当器（multiplexer）２９５を含む。
【００２６】
加入者局１１６の受信経路３００は、ダウンコンバータ（ＤＣ：ｄｏｗｎ−ｃｏｎｖｅｒｔｅｒ）２５５、サイクリックプレフィックス（ＣＰ：ｃｙｃｌｉｃ ｐｒｅｆｉｘ）除去ブロック２６０、シリアル-パラレル（ｓｅｒｉａｌ−ｔｏ−ｐａｒａｌｌｅｌ：Ｓ−ｔｏ−Ｐ）ブロック２６５、サイズＮの高速フーリエ変換（ＦＦＴ：Ｆａｓｔ Ｆｏｕｒｉｅｒ Ｔｒａｎｓｆｏｒｍ）ブロック２７０、パラレル-シリアル（ｐａｒａｌｌｅｌ−ｔｏ−ｓｅｒｉａｌ：Ｐ−ｔｏ−Ｓ）ブロック２７５、チャネルデコーディング及び復調ブロック２８０を含む。
【００２７】
図２及び図３のコンポーネントの少なくとも一部は、ソフトウェアに組み込み可能であり、一方、他のコンポーネントは、設定可能なハードウェア（ｃｏｎｆｉｇｕｒａｂｌｅ ｈａｒｄｗａｒｅ）またはソフトウェアと設定可能なハードウェアの組合せで具現されることもできる。特に、本発明の文献に記述された高速フーリエ変換（ＦＦＴ）ブロック及び逆高速フーリエ変換（ＩＦＦＴ）ブロックは、高速フーリエ変換（ＦＦＴ）及び逆高速フーリエ変換（ＩＦＦＴ）のサイズＮの値が、その具現にしたがって修正されうる設定可能なソフトウェアアルゴリズムとして実装可能であるという点に注目しなければならない。
【００２８】
さらに、本発明の実施例が高速フーリエ変換（ＦＦＴ）及び逆高速フーリエ変換（ＩＦＦＴ）を具現する実施例を直接言及しているとしても、これは、ただ説明のためのものであって、本発明の範囲を限定するものと解釈してならない。本発明の代案的な実施例において、高速フーリエ変換（ＦＦＴ）機能及び逆高速フーリエ変換（ＩＦＦＴ）機能は、簡単にそれぞれ離散フーリエ変換（ＤＦＴ：Ｄｉｓｃｒｅｔｅ Ｆｏｕｒｉｅｒ Ｔｒａｎｓｆｏｒｍ）機能及び逆離散フーリエ変換（ＩＤＦＴ：Ｉｎｖｅｒｓｅ Ｄｉｓｃｒｅｔｅ Ｆｏｕｒｉｅｒ Ｔｒａｎｓｆｏｒｍ）機能に代替されることもできることを理解しなければならない。離散フーリエ変換（ＤＦＴ）及び逆離散フーリエ変換（ＩＤＦＴ）機能のために、変数Ｎの値は、整数であってもよく（すなわち、１、２、３、４など）、一方、高速フーリエ変換（ＦＦＴ）及び高速フーリエ変換（ＩＦＦＴ）機能のために、変数Ｎの値は、２の二乗である整数になることができる（すなわち、１、２、４、８、１６など）を理解しなければならない。
【００２９】
基地局１０２で、チャネルコーディング及び変調ブロック２０５は、情報ビットのセットを受信し、入力ビットにコーディング（例えば、ターボコーディング）および変調（例えば、ＱＰＳＫ、ＱＡＭ）を適用し、周波数ドメイン変調シンボルのシーケンスを生成する。シリアル-パラレルブロック２１０は、シリアルに変調されたシンボルをパラレルデータに変換（すなわち、逆多重化）し、Ｎ個のパラレルシンボルストリームを生成する。ここで、Ｎは、基地局１０２及び加入者局１１６で使用されるＩＦＦＴ／ＦＦＴのサイズである。その後、サイズＮのＩＦＦＴブロック２１５は、Ｎ個のパラレルのシンボルストリームに対してＩＦＦＴ動作を行い、時間ドメイン出力信号を生成する。パラレル-シリアルブロック２２０は、サイズＮのＩＦＦＴブロック２１５からのパラレルの時間ドメイン出力シンボルを変換（すなわち、多重化）し、シリアルの時間ドメイン信号を生成する。その後、サイクリックプレフィックス挿入ブロック２２５は、サイクリックプレフィックス（ＣＰ）を時間ドメイン信号に挿入する。最後に、アップコンバータ２３０は、サイクリックプレフィックス挿入ブロック２２５の出力を、無線チャネルを介して伝送するための無線周波数（ＲＦ：ｒａｄｉｏ ｆｒｅｑｕｅｃｙ）に変調（すなわち、アップコンバート（ｕｐ−ｃｏｎｖｅｒｔ））する。信号は、また、無線周波数（ＲＦ）に変換される前に、基底帯域（ＢＢ：ｂａｓｅｂａｎｄ）でフィルタリングされることができる。他の実施例において、リファレンス信号多重化器２９０は、コード分割多重化（ＣＤＭ：ｃｏｄｅ ｄｉｖｉｓｉｏｎ ｍｕｌｔｉｐｌｅｘｉｎｇ）または時間／周波数分割多重化（ＴＦＤＭ：ｔｉｍｅ／ｆｒｅｑｕｅｎｃｙ ｄｉｖｉｓｉｏｎ ｍｕｌｔｉｐｌｅｘｉｎｇ）を利用してリファレンス信号を多重化するように動作することができる。リファレンス信号割当器２９５は、本発明の実施例で説明される方法及びシステムによるＯＦＤＭ信号でリファレンス信号を動的に割り当てるように動作することができる。
【００３０】
伝送された高周波（ＲＦ）信号は、無線チャネルを通過した後、加入者局１１６に到着し、基地局１０２で行われた動作の逆動作が行われる。ダウンコンバータ２５５は、受信された信号を基底帯域（ｂａｓｅｂａｎｄ）周波数にダウンコンバートし、サイクリックプレフィックス除去ブロック２６０は、サイクリックプレフィックス（ＣＰ）を除去し、シリアルの時間ドメイン基底帯域信号を生成する。シリアル-パラレルブロック２６５は、時間ドメイン基底帯域信号を変換し、パラレルの時間ドメイン信号を生成する。その後、サイズＮのＦＦＴブロック２７０は、ＦＦＴアルゴリズムを行い、Ｎ個のパラレルの周波数ドメイン信号を生成する。パラレル-シリアルブロック２７５は、パラレルの周波数ドメイン信号を変調されたデータシンボルのシーケンスに変換する。チャネルデコーディング及び復調ブロック２８０は、変調されたシンボルを復調し、デコーディングし、元々の入力データストリームを復元する。
【００３１】
各基地局１０１〜１０３は、加入者局１１１〜１１６へのダウンリンク（ＤＬ）の伝送と類似する伝送経路を実装し、加入者局１１１〜１１６からのアップリンク（ＵＬ）の受信と類似する受信経路を実装することができる。同様に、加入者局１１１〜１１６のうちそれぞれのものは、基地局１０１〜１０３に対するアップリンク（ＵＬ）の伝送のためのアキテクチャーによって伝送経路を実装することができ、基地局１０１〜１０３からのダウンリンク（ＤＬ）の受信のためのアキテクチャーによって受信経路を実装することができる。
【００３２】
ＯＦＤＭシステムで総帯域幅は、サブキャリアと呼ばれる狭帯域（ｎａｒｒｏｗｂａｎｄ）周波数ユニットに分割される。サブキャリアの数は、システムで使用されるＦＦＴ／ＩＦＦＴのサイズＮと同一である。一般的に、周波数スペクトルの端部にあるサブキャリアは、保護サブキャリアとして予約されているので、データのために使用されるサブキャリアの数は、Ｎ個より小さい。一般的に、保護サブキャリアでは、どんな情報も伝送されない。
【００３３】
【数１】
2014241633.tif 000003
【００３４】
多重アンテナ伝送の場合において、アンテナポート当たり定義される１つのリソースグリッドが存在する。
【００３５】
【数２】
2014241633.tif 000004
【００３６】
ＬＴＥで、２つの目的のためにダウンリンクリファレンス信号（ＲＳ）が使用される。第一に、ユーザ装置（ＵＥ）は、ダウンリンクリファレンス信号（ＤＣＩ）を利用してチャネル品質情報（ＣＱＩ：ｃｈａｎｎｅｌ ｑｕａｌｉｔｙ ｉｎｆｏｒｍａｔｉｏｎ）、ランク情報（ＲＩ：ｒａｎｋ ｉｎｆｏｒｍａｔｉｏｎ）及びプレコーダーマトリクス情報（ＰＭＩ：ｐｒｅｃｏｄｅｒ ｍａｔｒｉｘ ｉｎｆｏｒｍａｔｉｏｎ）を測定する。第二に、各ユーザ装置（ＵＥ）は、ダウンリンクリファレンス信号を利用することのためにダウンリンク伝送信号を変調する。さらに、ダウンリンクリファレンス信号は、３個のカテゴリーに区分される。セル特有のリファレンス信号（ｃｅｌｌ−ｓｐｅｃｉｆｉｃ ＲＳ）、ＭＢＳＦＮ（単一周波数ネットワークを介したマルチメディア放送：ｍｕｌｔｉ−ｍｅｄｉａ ｂｒｏａｄｃａｓｔ ｏｖｅｒ ａ ｓｉｎｇｌｅ ｆｒｅｑｕｅｎｃｙ ｎｅｔｗｏｒｋ）リファレンス信号、及び端末特有のリファレンス信号（ＵＥ−ｓｐｅｃｉｆｉｃ ＲＳ、またはＵＥ−ＲＳ）または専用リファレンス信号（ＤＲＳ：Ｄｅｄｉｃａｔｅｄ ＲＳ）がそれである。
【００３７】
セル特有のリファレンス信号（または共通リファレンス信号：ＣＲＳｓ（ｃｏｍｍｏｎ ｒｅｆｅｒｅｎｃｅ ｓｉｇｎａｌｓ））は、非放送チャネル（ｎｏｎ−ＭＢＳＦＮ）伝送をサポートするセルですべてのダウンリンクサブフレームに伝送される。サブフレームが放送チャネル（ＭＢＳＦＮ）伝送に使用されれば、サブフレーム内で一番目の複数個（０、１または２）のＯＦＤＭシンボルがセル特有のリファレンスシンボルの伝送に使用されることができる。表記Ｒｐは、アンテナポートｐ上のリファレンス信号伝送に使用されるリソース要素を示すために使用される。
【００３８】
端末特有のリファレンス信号（または専用ＲＳ（ＤＲＳ））は、物理ダウンリンク共有チャネル（ＰＤＳＣＨ：Ｐｈｙｓｉｃａｌ Ｄｏｗｎｌｉｎｋ Ｓｈａｒｅｄ Ｃｈａｎｎｅｌ）で単一アンテナ７ポート伝送がサポートされ、アンテナポート５を介して伝送される。端末は、上位階層（上位階層信号）によって端末特有のリファレンス信号が存在するか、そして物理ダウンリンク共有チャネル（ＰＤＳＣＨ）復調のための有効な位相リファレンスであるか否かに対する情報を提供される。端末特有のリファレンス信号は、ただ対応する物理ダウンリンク共有チャネル（ＰＤＳＣＨ）がマッピングされたリソースブロックで伝送される。
【００３９】
ＬＴＥシステムの時間リソースは、１０ｍｓｅｃフレームに分割され、そして、各フレームは、それぞれ１ｍｓｅｃ期間を有する１０サブフレームにさらに分割される。サブフレームは、２個の時間スロットに分割され、それぞれは、０．５ｍｓｅｃの期間を有する。サブフレームは、周波数ドメイン上で多重のリソースブロック（ＲＢｓ）に分割される。ここで、リソースブロック（ＲＢ）は、１２個のサブキャリアで構成される。
【００４０】
図４は、本発明の実施例による複数の移動局４０２、４０４、４０６及び４０８と通信を行う基地局４２０の図４００を示す。
【００４１】
図４に示されたように、基地局４２０は、同時に多重アンテナビームを利用して複数の移動局（ＭＳ：ｍｏｂｉｌｅ ｓｔａｔｉｏｎ）と通信を行い、各アンテナビームは、同時に同一の周波数でその意図された移動局に向かって形成される。基地局４２０及び移動局４０２、４０４、４０６及び４０８は、電波（ｒａｄｉｏ ｗａｖｅ）信号を伝送し受信するために多重アンテナを採択している。電波信号は、直交周波数分割多重化（ＯＦＤＭ）信号になることができる。
【００４２】
一実施例において、基地局４２０は、各移動局に対して複数の受信機（ｔｒａｎｓｍｉｔｔｅｒ）を介して同時にビームフォーミング（ｂｅａｍ ｆｏｒｍｉｎｇ）を行う。例えば、基地局４２０は、ビームフォーミングされた信号４１０を介してデータを移動局４０２に伝送し、ビームフォーミングされた信号４１２を介してデータを移動局４０４に伝送し、ビームフォーミングされた信号４１４を介してデータを移動局４０６に伝送し、ビームフォーミングされた信号４１６を介してデータを移動局４０８に伝送する。本発明の一実施例において、基地局４２０は、移動局４０２、４０４、４０６、及び４０８に同時にビームフォーミングを行うことができる。他の実施例において、各ビームフォーミングされた信号は、同一の時間及び同一の周波数でこれが意図した移動局に向かって形成される。明確にするために、基地局から移動局への通信を、ダウンリンク（ＤＬ）通信と呼び、移動局から基地局への通信を、アップリンク（ＵＬ）通信と呼ぶ。
【００４３】
基地局４２０及び移動局４０２、４０４、４０６及び４０８は、無線信号を伝送し受信するための多重アンテナを採択する。無線信号は、電波信号になることができ、無線信号は、直交周波数分割多重化（ＯＦＤＭ）伝送スキームを含む当業者に知られたどんな伝送スキームでも使用することができることを理解しなければならない。
【００４４】
移動局４０２、４０４、４０６、及び４０８は、無線信号を受信することができるどんな装置でも使用されることができる。移動局４０２、４０４、４０６、及び４０８の例は、これに限定されないが、ＰＤＡ、ラップトップ、モバイルフォン、携帯用装置、またはビームフォーミングされた伝送を受信することができるどんな他の装置をも含む。 
【００４５】
無線通信チャネルの容量及び信頼度を向上させるために基地局及び単一移動局の両方で多重伝送アンテナ及び多重伝送アンテナを使用することは、単一ユーザ多重入力多重出力（ＳＵ−ＭＩＭＯ：Ｓｉｎｇｌｅ Ｕｓｅｒ Ｍｕｌｔｉｐｌｅ Ｉｎｐｕｔ Ｍｕｌｔｉｐｌｅ Ｏｕｔｐｕｔ）システムと知られている。多重入力多重出力（ＭＩＭＯ）システムは、容量がＫで線形増加することを約束する。ここで、Ｋは、伝送（Ｍ）及び受信アンテナ（Ｎ）の最小数である（すなわち、Ｋ＝ｍｉｎ（Ｍ，Ｎ））。多重入力多重出力（ＭＩＭＯ）システムは、空間多重化（ｓｐａｔｉａｌ ｍｕｌｔｉｐｌｅｘｉｎｇ）、伝送／受信ビームフォーミング、または伝送／受信ダイバシティ（ｄｉｖｅｒｓｉｔｙ）で具現されることができる。
【００４６】
ＳＵ−ＭＩＭＯの拡張である、多重ユーザＭＩＭＯ（ＭＵ−ＭＩＭＯ）は、通信シナリオである。ここで、多重伝送アンテナを有する基地局は、無線通信チャネルの容量及び信頼度を向上させるために空間分割多重接続（ＳＤＭＡ：Ｓｐａｔｉａｌ ｄｉｖｉｓｉｏｎ ｍｕｌｔｉｐｌｅ ａｃｃｅｓｓ）のような多重ユーザビームフォーミングスキームの使用を通じて、複数の移動局と同時に通信を行うことができる。
【００４７】
図５は、本発明の実施例による空間分割多重接続（ＳＤＭＡ）スキームを示す。
【００４８】
図５に示されたように、基地局４２０は、８個の伝送アンテナが装着されるが、移動局４０２、４０４、４０６、及び４０８は、それぞれ２個のアンテナが装着される。この実施例で、基地局４２０は、８個の伝送アンテナを有する。各伝送アンテナは、ビームフォーミングされた信号４１０、５０２、５０４、４１２、４１４、５０６、４１６及び５０８のうち１つを伝送する。この実施例において、移動局４０２は、ビームフォーミングされた伝送４０１及び５０２を受信し、移動局４０４は、ビームフォーミングされた伝送５０４及び４１２を受信し、移動局４０６は、ビームフォーミングされた伝送５０６及び４１４を受信し、移動局４０８は、ビームフォーミングされた伝送５０８及び４１６を受信する。
【００４９】
基地局４２０が８個の伝送アンテナビームを有するので（各アンテナは、データストリームのうち１つのデータストリームを発する）、ビームフォーミングされたデータの８個のストリームは、基地局４２０に形成される。各移動局は、この例においてデータの最大２個のストリーム（ビーム）を受信することができる（受信することができる能力を有する）。各移動局４０２、４０４、４０６、及び４０８は、多重ストリームの代わりに、ただデータの１つの端末ストリーム（ビーム）を受信するように制限される。同時に、これは、多重ユーザビームフォーミング（すなわち、ＭＵ−ＢＦ、ｍｕｌｔｉ−ｕｓｅｒ ｂｅａｍｆｏｒｍｉｎｇ）になることができる。
【００５０】
リリース８ＬＴＥシステムにおいて、ユーザ装置（ＵＥ）は、帯域幅全体にわたって、共通リファレンス信号（ＣＲＳ：ｃｏｍｍｏｎ ｒｅｆｅｒｅｎｃｅ ｓｉｇｎａｌ）に基づいてチャネル推定を行うように要求される。チャネル推定が行われれば、ユーザ装置（ＵＥ）は、ダウンリンク制御情報（ＤＣＩ：ｄｏｗｎｌｉｎｋ ｃｏｎｔｒｏｌ ｉｎｆｏｒｍａｔｉｏｎ）の異なるフォーマットによって示される異なる伝送モードに基づいて復調を行う。例えば、ダウンリンク空間多重化が行われるとき、ダウンリンク制御情報（ＤＣＩ）フォーマット２が使用される。そしてユーザ装置（ＵＥ）は、ダウンリンク制御情報（ＤＣＩ）フォーマットに収納された伝送ＰＭＩ（ＴＰＭＩ）及びリソース割り当てに基づいて復調を行う。例えば、２００９年１２月公開された、３ＧＰＰ ＴＳ ３６．２１２ ｖ ８．８．０、“Ｅ−ＵＴＲＡ、Ｍｕｌｔｉｐｌｅｘｉｎｇ ａｎｄ Ｃｈａｎｎｅｌ Ｃｏｄｉｎｇ”で、ＴＰＭＩの定義がセクション５．３．３．１．５のテーブル５．３．３．１．５−４（２アンテナポート）及びテーブル５．３．３．１．５−５（４アンテナポート）に定義され、これは、参照としてその全体がこの文献に記述されたように本発明の実施例に含まれる。
【００５１】
基地局（ｅＮｏｄｅＢ）は、加入者装置（ＵＥ）のフィードバックに基づいて、加入者装置（ＵＥ）に対してワイドバンドプリコーディングまたはサブバンドプリコーディングであるか否かを示し、これにより、加入者装置（ＵＥ）は、ダウンリンク復調を行う。
【００５２】
ＬＴＥアドバンス（ＬＴＥ−Ａ）システムにおいて、ダウンリンク復調は、端末特有のリファレンス信号（ＵＥ−ＲＳ：ＵＥ−ｓｐｅｃｉｆｉｃ ｒｅｆｅｒｅｎｃｅ ｓｉｇｎａｌ）とも称される、専用リファレンス信号（ＤＲＳ：ｄｅｄｉｃａｔｅｄ ｒｅｆｅｒｅｎｃｅ ｓｉｇｎａｌ）に基づく。
【００５３】
ＬＴＥアドバンスシステムにおいて、データチャネルの復調は、プリコーディングされた端末特有のリファレンス信号（ＵＥ−ＲＳ）に基づく。すなわち、リファレンス信号は、２００９年１月、アドホック（ａｄｈｏｃ）論議の結果物である、Ｒ１−０９０５２９“Ｗａｙ ｆｏｒｗａｒｄ ｏｎ ＣｏＭＰ ａｎｄ ＭＩＭＯ ＤＬ ＲＳ”、及び、２００９年３月、ＣＡＴＴ、ＣＭＣＣ、エリクソン（Ｅｒｉｃｓｓｏｎ）、ファーウェイ（Ｈｕａｗｅｉ）、ＬＧ電子（ＬＧＥ）、モトローラ（Ｍｏｔｏｒｏｌａ）、ノキア（Ｎｏｋｉａ）、ノキア シーメンス ネットワークス（Ｎｏｋｉａ Ｓｉｅｍｅｎｓ Ｎｅｔｗｏｒｋｓ）、ノーテル（Ｎｏｒｔｅｌ）、パナソニック（Ｐａｎａｓｏｎｉｃ）、フィリップス（Ｐｈｉｌｉｐｓ）、クアルコムヨーロッパ（Ｑｕａｌｃｏｍｍ Ｅｕｒｏｐｅ）、サムスン（Ｓａｍｓｕｎｇ）、テキサスインスルメンツ（ＴｅｘａｓＩｎｓｔｒｕｍｅｎｔｓ）が参加した、Ｒ１−０９１０６６“Ｗａｙ ｆｏｒｗａｒｄ ｏｎ ｄｏｗｎｌｉｎｋ ｒｅｆｅｒｅｎｃｅ ｓｉｇｎａｌｓ ｆｏｒ ＬＴＥ−Ａ”に記述されたように、データチャネルと同一のプリコーダーを利用してプリコーディングされる。これら文献のすべては、参照としてその全体がこの文献に記述されたように本発明の実施例に含まれる。
【００５４】
物理ダウンリンク共有チャネル（ＰＤＳＣＨ）復調（ＬＴＥ−Ａ動作のための）を目的にする（ターゲットにする：ｔａｒｇｅｔｉｎｇ）リファレンス信号（ＲＳ）は、ユーザ装置（ＵＥ）に特有であり、スケジューリングされたリソースブロック（ＲＢ：ｒｅｓｏｕｒｃｅ ｂｌｏｃｋ）及び対応する階層だけで伝送される。異なる階層は、同一または異なるユーザ装置（ＵＥ）を目的にすることができる。デザイン原理は、（ビームフォーミングに使用される）階層を多様化するためのリリース８-端末特有のリファレンス信号（ＵＥ−ＲＳ）コンセプトの拡張である。異なる階層上のリファレンス信号（ＲＳ）は、相互に直交する。リファレンス信号（ＲＳ）及びデータは、同一のプリコーディング動作が施され、ユーザ装置（ＵＥ）によるリリース８-ＣＲＳの相互補完的な使用を妨げない。
【００５５】
その文献が参照としてその全体がこの特許文献に記述されたように本発明の実施例に含まれる、２００９年１０月、ミヤザキ（Ｍｉｙａｚａｋｉ）、３ＧＰＰ ＲＡＮ１＃５８ｂｉｓ、Ｒ１−０９４４１３、“Ｗａｙ ｆｏｒｗａｒｄ ｏｎ ｔｈｅ ｄｅｔａｉｌｓ ｏｆ ＤＣＩ ｆｏｒｍａｔ ２Ｂ ｆｏｒ ｅｎｈａｎｃｅｄ ＤＬ ｔｒａｎｓｍｉｓｓｉｏｎ”を通じてダウンリンク制御情報（ＤＣＩ）フォーマット２Ｂに対する同意が行われ、その内容は、次の通りである：
【００５６】
−ダウンリンク制御情報（ＤＣＩ）フォーマット２Ｂは、ダウンリンク制御情報フォーマット２Ａに基づく。
【００５７】
−ソースチャネル識別子（ＳＣ−ＩＤ：ｓｏｕｒｃｅ ｃｈａｎｎｅｌ ｉｄｅｎｔｉｆｉｅｒ）のために１ビットが追加される。
【００５８】
−スワップフラグ（Ｓｗａｐ Ｆｌａｇ）は、除去される。
【００５９】
−ランク１伝送のために、不活性化された伝送ブロックの新規データ指示子（ＮＤＩ：ｎｅｗ ｄａｔａ ｉｎｄｉｃａｔｏｒ）ビットがポート情報を示すために再使用される。０の値は、ポート７と連動する活性化された伝送ブロック（ＴＢ：ｔｒａｎｓｐｏｒｔ ｂｌｏｃｋ）を示すために使用される。１の値は、ポート８と連動した活性化された伝送ブロック（ＴＢ）を示すために使用される。そして
【００６０】
−ランク２伝送のために、第１伝送ブロック（ＴＢ１）がポート７と連動し、ポート８が第２伝送ブロック（ＴＢ２）と連動する。
【００６１】
ダウンリンク制御情報（ＤＣＩ）フォーマット２Ｃは、動的単一及び多重ユーザスイチングを可能にするためにリリース１０伝送モードのためのダウンリンク制御情報（ＤＣＩ）フォーマット２Ｂに基づいて構成されることができる。
【００６２】
基地局（ｅＮｏｄｅＢ）は、リソースブロック（ＲＢ）基盤プリコーディングを潜在的に行うこともできるので、チャネル推定及び復調のための基準単位（または基準精密度：ｂａｓｅ ｌｉｎｅ ｇｒａｎｕｌａｒｉｔｙ）は、１つのリソースブロック（ＲＢ）である。しかし、その文献が参照としてその全体がこの特許文献に記述されたように本発明の実施例に含まれる、クアルコムヨーロッパ（Ｑｕａｌｃｏｍｍ Ｅｕｒｏｐｅ）によって、２００９年８月、Ｒ１−０９３１０５、“ＵＥ−ＲＳ Ｐａｔｔｅｒｎｓ ｆｏｒ ＬＴＥ−Ａ”に公開されたように、“リソースブロックバンドリング（ＲＢ−ｂｕｎｄｌｉｎｇ）”（チャネル推定及び復調を行うために連続したリソースブロック（ＲＢ）を一緒に結合する）は、上位ランク（すなわち、ランク５〜８）伝送が低いオーバーヘッドによって十分なチャネル推定精度を得ることができるように助ける。これは、また、その文献が参照としてその全体がこの特許文献に記述されたように本発明の実施例に含まれる、２００９年１１月、サムスンによる、Ｒ１−０９４５７５、“Ｄｉｓｃｕｓｓｉｏｎ ｏｎ ＤＭ−ＲＳ ｆｏｒ ＬＴＥ−Ａｄｖａｎｃｅｄ”、；２００９年１１月、エリクソン、ＳＴ−エリクソンによる、Ｒ１−０９４４３８、“Ｏｎ Ｒｅｌ−１０ ＤＭ ＲＳ ｄｅｓｉｇｎ ｆｏｒ ｒａｎｋ５−８”；及び２００９年１１月、ＣＡＴＴによる、Ｒ１−０９４５４８、“Ｆｕｒｔｈｅｒ ｉｎｖｅｓｔｉｇａｔｉｏｎ ｏｎ ＤＭＲＳ ｄｅｓｉｇｎ ｆｏｒ ＬＴＥ−Ａ”に記述されたものは、“リソースブロックバンドリング”が一部上位ランク復調リファレンス信号（ＤＭ−ＲＳ：ｄｅｍｏｄｕｌａｔｉｏｎ ｒｅｆｅｒｅｎｃｅ ｓｉｇｎａｌ）パターンのためにＯＦＤＭシンボルにわたった伝送パワー不均衡を解消するために使用されることができるということである。
【００６３】
図６は、本発明の実施例による２及び４階層伝送をサポートする専用リファレンス信号（ＤＲＳ）パターンを示す。
【００６４】
専用リファレンス信号（ＤＲＳ）パターン６０１及び６０３は、２階層伝送をサポートすることができるパイロットパターンを示す。専用リファレンス信号（ＤＲＳ）パターン６０１から０、１でラベリングされた専用リファレンス信号（ＤＲＳ）リソース要素（ＲＥ）は、コード分割多重化された（ＣＤＭｅｄ）２つの階層のリファレンス信号（ＲＳ）とともに階層０及び１のための専用リファレンス信号（ＤＲＳ）を伝達する。同様に、専用リファレンス信号（ＤＲＳ）パターン６０３における２、３でラベリングされた専用リファレンス信号（ＤＲＳ）リソース要素（ＲＥ）は、コード分割多重化された（ＣＤＭｅｄ）２つの階層のリファレンス信号（ＲＳ）とともに階層２及び３のための専用リファレンス信号（ＤＲＳ）を伝達する。
【００６５】
０、１でラベリングされた２個の隣接する専用リファレンス信号（ＤＲＳ）リソース要素（ＲＥ）において、階層０のための専用リファレンス信号（ＤＲＳ）シンボル［ｒ０ ｒ１］は、ウォルシュコード（Ｗａｌｓｈ ｃｏｄｅ）［１ １］によって拡散される２個のリソース要素（ＲＥ）にマッピングされ、これは、［ｒ０ ｒ１］をもたらす。一方、階層１のための専用リファレンス信号（ＤＲＳ）シンボルｒ２及びｒ３は、ワルシコード［１ −１］によって拡散される２個のリソース要素（ＲＥ）にマッピングされ、これは、［ｒ２ −ｒ３］をもたらす。
【００６６】
専用リファレンス信号（ＤＲＳ）パターン６０５は、４個の伝送階層をサポートすることができるパイロットパターンを示す。ここで、専用リファレンス信号（ＤＲＳ）リソース要素（ＲＥ）は、さらに２個に分割され、これらは、０、１と、２、３でラベリングされる。このパターンで、０、１でラベリングされた専用リファレンス信号（ＤＲＳ）リソース要素（ＲＥ）は、コード分割多重化された（ＣＤＭｅｄ）２つの階層のリファレンス信号（ＲＳ）とともに階層０及び１のための専用リファレンス信号（ＤＲＳ）を伝達する。そして専用リファレンス信号（ＤＲＳ）パターン６０３における２、３でラベリングされた専用リファレンス信号（ＤＲＳ）リソース要素（ＲＥ）は、コード分割多重化された（ＣＤＭｅｄ）２つの階層のリファレンス信号（ＲＳ）とともに階層２及び３のための専用リファレンス信号（ＤＲＳ）を伝達する。
【００６７】
図７は、本発明の実施例による８階層伝送をサポートする専用リファレンス信号（ＤＲＳ）パターンを示す。
【００６８】
図７を参照すれば、ＸがＧ、Ｈ、Ｉ、Ｊ、Ｌ、Ｋのうちいずれか１つである、アルファベットＸでラベリングされたリソース要素（ＲＥ）は、８専用リファレンス信号（ＤＲＳ）のうち複数の専用リファレンス信号（ＤＲＳ）を伝送するために使用される。ここで、専用リファレンス信号（ＤＲＳ）の数は、コード分割多重化される。専用リファレンス信号（ＤＲＳ）パターン７０１は、同一のアルファベットラベルを有する２つの時間隣接するリソース要素（ＲＥ）にわたる拡散ファクター２コード分割多重化に基づく。専用リファレンス信号（ＤＲＳ）パターン７０３は、同一のアルファベットラベルを有する２つの時間隣接するリソース要素（ＲＥ）の２個のグループにわたる拡散ファクター４コード分割多重化に基づく。一実施例において、ランク−８パターンの８アンテナポートは、ランク−２及びランク−４パターンのアンテナポートと区別するために、以降、ランク−８パターンの８アンテナポートを、アンテナポート４、５、６、７、８、９、１０、１１で示す。
【００６９】
リリース８ＬＴＥで、アンテナポート０、１、２、３、４、５は、共通リファレンス信号（ＣＲＳ）、放送リファレンス信号（ＭＢＳＦＮ ＲＳ）及びリリース８専用リファレンス信号（ＤＲＳ）のために使用されることを注目しなければならない。したがって、リリース８ＬＴＥから拡張されたナンバリング（ｎｕｍｂｅｒｉｎｇ）協約によれば、新規アンテナポート番号は、６から始まる。ランク−２パターンは、アンテナポート６、７を有する。ランク−４パターンは、アンテナポート７、８、９、１０を有する。ランク−８パターンは、アンテナポート１１、１２、１３、１４、１５、１６、１７、１８を有する。
【００７０】
専用リファレンス信号（ＤＲＳ）パターン７０１の一実施例において、Ｇは、専用リファレンス信号（ＤＲＳ）４、５を伝達する。Ｈは、専用リファレンス信号（ＤＲＳ）６、７を伝達する。Ｉは、専用リファレンス信号（ＤＲＳ）８、９を伝達する。Ｊは、専用リファレンス信号（ＤＲＳ）１０、１１を伝達する。専用リファレンス信号（ＤＲＳ）パターン（７０３）の一実施例において、Ｋは、専用リファレンス信号（ＤＲＳ）４、５、６、７を伝達し、そしてＬは、専用リファレンス信号（ＤＲＳ）８、９、１０、１１を伝達する。
【００７１】
図６及び図７の復調リファレンス信号（ＤＭ−ＲＳ）パターンの各々は、リソースブロック（ＲＢ）ベースである。したがって、ユーザ装置（ＵＥ）は、リソースブロック（ＲＢ）ごとにチャネル推定及び復調を行うこともできる。代案的に、リソースブロック（ＲＢ）バンドリングがサポートされれば、ユーザ装置（ＵＥ）は、バンドリングされたリソースブロック（ＲＢ）にわたって共同で（ｊｏｉｎｔｌｙ）チャネル推定及び復調を行うことができる。このようにして、チャネル推定及び復調の実行が改善されることができる。
【００７２】
リソースブロックバンドリング（ＲＢ−ｂｕｎｄｌｉｎｇ）利得は、基地局（ｅＮｏｄｅＢ）がバンドリングされたリソースブロック（ＲＢ）にわたって同一のダウンリンクプリコーディングベクトルを適用するときにのみ得ることができる。したがって、ユーザ装置（ＵＥ）は、バンドリングされたリソースブロック（ＲＢ）にわたって共同でチャネル推定及び復調を実行しなければならない。
【００７３】
言い換えれば、リソースブロックバンドリングは、プリコーディングベクトルがバンドリングされたリソースブロック（ＲＢ）内で同一でなければならないので、プリコーディング柔軟性を減少させる。これは、明らかに、周波数でチャネル補間範囲（ｃｈａｎｎｅｌ ｉｎｔｅｒｐｏｌａｔｉｏｎｓ ｐａｎ）を増加させた結果生じる「利得」対周波数選択プリコーディング精密度（ｆｒｅｑｕｅｎｃｙ ｓｅｌｅｃｔｉｖｅ ｐｒｅｃｏｄｉｎｇ ｇｒａｎｕｌａｒｉｔｙ）を増加させた結果生じる「損失」間のトレードオフ（ｔｒａｄｅ−ｏｆｆ）を提案するものである。
【００７４】
リソースブロックバンドリングの利点は、チャネル推定性能が向上するものである。しかし、基地局（ｅＮｏｄｅＢ）が相当なオーバーヘッドに起因してユーザ装置（ＵＥ）からリソースブロック（ＲＢ）当たりフィードバックを受信しなければ、基地局（ｅＮｏｄｅＢ）は、リソースブロック当たりエンコードを行うことができない。
【００７５】
リソースブロックバンドリングを行わないことの利点は、基地局（ｅＮｏｄｅＢ）が、ユーザ装置（ＵＥ）がチャネル推定及び復調を行うためにプリコーディングマトリクス情報（ＰＭＩ）をフィードバックする必要がないということである。その代わりに、基地局（ｅＮｏｄｅＢ）は、時分割二重化（ＴＤＤ：Ｔｉｍｅ Ｄｉｖｉｓｉｏｎ Ｄｕｐｌｅｘ）システムでアップリンクチャネルサウンディング（ｕｐｌｉｎｋ ｃｈａｎｎｅｌ ｓｏｕｎｄｉｎｇ）に依存することもできる。さらに、基地局（ｅＮｏｄｅＢ）は、リソースブロック（ＲＢ）当たりプリコーディングを行う柔軟性を有することができる。これは、高いプリコーディング利得を得ることができる。しかし、ユーザ装置（ＵＥ）は、チャネルが非常に選択的（ｓｅｌｅｃｔｉｖｅ）なら、リソースブロック（ＲＢ）当たりチャネル推定を行わなければならない。
【００７６】
したがって、チャネル条件によってリソースブロックバンドリングのフィーチャー（ｆｅａｔｕｒｅ）をターンオン（ｔｕｒｎ ｏｎ）するか、またはターンオフ（ｔｕｒｎ ｏｆｆ）することができることが利得になることができる。
【００７７】
本発明の実施例は、リソースバンドリングを可能にするためのシステム及び方法を提供する。
【００７８】
本発明の一部実施例において、基地局（ｅＮｏｄｅＢ）は、ユーザ装置（ＵＥ）にリソースブロックバンドリングのフィーチャーをターンオンまたはターンオフするための指示子（ｉｎｄｉｃａｔｉｏｎ）を伝送する。
【００７９】
リソースブロックバンドリングがターンオンされるか、または可能になるとき、基地局（ｅＮｏｄｅＢ）は、複数の連続したリソースブロック（ＲＢ）（リソースブロックバンドリングサイズ）にわたって同一のダウンリンクプリコーディングベクトルを適用する。そして、ユーザ装置（ＵＥ）は、バンドリングされたリソースブロック（ＲＢ）に対して共通でチャネル推定及び復調を行う。リソースブロックバンドリングがターンオフされるか、または不可能になったとき、基地局（ｅＮｏｄｅＢ）は、リソースブロック単位当たりダウンリンクプリコーディングを行う。そして、ユーザ装置（ＵＥ）またリソースブロック単位当たりチャネル推定及び復調を行う。
【００８０】
リソースブロックバンドリングが可能であるか否かを示すための基地局（ｅＮｏｄｅＢ）からユーザ装置（ＵＥ）への指示は、いくつかの方法で達成されることができる。
【００８１】
本発明の一部実施例において、リソースブロックバンドリングが可能であるか否かを示す基地局（ｅＮｏｄｅＢ）からユーザ装置（ＵＥ）へのシグナリングは、上位階層シグナリングを通じて半静的に（ｓｅｍｉ−ｓｔａｔｉｃａｌｌｙ）シグナリングされるか、またはダウンリンク制御情報（ＤＣＩ）フォーマットで利用することができるコードポイント（ｃｏｄｅ−ｐｏｉｎｔ）を利用して動的にシグナリングされることができる。さらに、このシグナリングは、明示的（ｅｘｐｌｉｃｉｔ）であっても、または黙示的（ｉｍｐｌｉｃｉｔ）であってもよい。
【００８２】
図８は、本発明の実施例によるリソースブロック（ＲＢ）バンドリングをターンオンまたはターンオフするための１ビットシグナリングの使用を説明するテーブル８００を示す。
【００８３】
本発明の一実施例において、明示的シグナリングは、リソースブロックバンドリングをターンオンまたはターンオフするために使用される。例えば、上位階層シグナリングは、リソースブロックバンドリングを半静的にターンオンまたはターンオフするために使用される。例えば、テーブル８００に示されたように、１ビットシグナリングは、リソースブロックバンドリングを半静的にターンオンまたはターンオフするために使用されることができる。このような個別実施例において、一番目の値“０”は、リソースブロックバンドリングをターンオフまたは不可能にする第１状態を示す。二番目の値“１”は、リソースブロックバンドリングをターンオンまたは可能にする第２状態を示す。他の実施例において、ビットのシーケンスがリソースブロックバンドリングに関連した状態を示すために使用されることができる。このようなビットのシーケンスによって示されるいずれか１つの個別状態は、リソースブロックバンドリングを、ターンオフされるようにユーザ装置（ＵＥ）で解釈されることができる。
【００８４】
図９は、本発明の実施例によるリソースブロック（ＲＢ）バンドリングをターンオンまたはターンオフするために利用可能なダウンリンク制御情報（ＤＣＩ）コードポイントの使用を説明するテーブル９００を示す。
【００８５】
図９に示されたように、利用可能なダウンリンク制御情報（ＤＣＩ）コードポイントは、また、リソースブロックバンドリングを動的にターンオンまたはターンオフするために使用されることができる。例えば、ダウンリンク制御情報（ＤＣＩ）フォーマット２Ｘで、ダウンリンク制御情報（ＤＣＩ）フォーマット２Ｃに追加フィールドを追加することによってリソースブロックバンドリングをターンオンするように定義される。このような個別実施例において、追加フィールドによって示される第１状態は、リソースブロックバンドリングがターンオンされるか、または可能になる状態である。追加フィールドによって示される第２状態は、リソースブロックバンドリングがターンオフされるか、または不可能になる状態である。
【００８６】
本発明の一部実施例において、黙示的シグナリングがリソースブロックバンドリングをターンオンまたはターンオフするために使用される。例えば、リソースブロックバンドリングが可能になるか否かは、特定伝送モード、ダウンリンクグラント（ＤＬ ｇｒａｎｔ：ダウンリンク伝送リソース割り当て）のために使用されるダウンリンク制御情報（ＤＣＩ）フォーマット、伝送スキーム、及び無線ネットワーク臨時識別子（ＲＮＴＩ：ｒａｄｉｏ ｎｅｔｗｏｒｋ ｔｅｍｐｏｒａｒｙ ｉｄｅｎｔｉｆｉｅｒ）設定（ｃｏｎｆｉｇｕｒａｔｉｏｎ）に基づくことができる。
【００８７】
例えば、リソースブロックバンドリングは、ユーザ装置（ＵＥ）がリリース９伝送モード（３ＧＰＰ ３６．２１３のモード８）で設定されれば（ｃｏｎｆｉｇｕｒｅｄ）、そしてユーザ装置（ＵＥ）がＤＣＩフォーマット２Ｂによってスケジューリングされた物理ダウンリンク共有チャネル（ＰＤＳＣＨ）パッケージを受信すれば、ターンオンされるか、または可能になる。
【００８８】
さらに、ユーザ装置（ＵＥ）がダウンリンク制御情報（ＤＣＩ）フォーマット１Ａでスケジューリングされた物理ダウンリンク共有チャネル（ＰＤＳＣＨ）パッケージを受信し、関連した伝送スキームが（物理放送チャネル（ＰＢＣＨ：ｐｈｙｓｉｃａｌ ｂｒｏａｄｃａｓｔ ｃｈａｎｎｅｌ）が多重アンテナポートをシグナリングした場合であり、半永続スケジューリング無線ネットワーク暫定識別子（ＳＰＳ−ＲＮＴＩ：ｓｅｍｉ−ｐｅｒｓｉｓｔｅｎｔ ｓｃｈｅｄｕｌｉｎｇ−ｒａｄｉｏ ｎｅｔｗｏｒｋ ｔｅｍｐｏｒａｒｙ ｉｄｅｎｔｉｆｉｅｒ）によってスケジューリングされた）伝送データ（ＴｘＤ）なら、リソースブロックバンドリングは、ターンオフされるか、または不可能になる。ユーザ装置（ＵＥ）がダウンリンク制御情報（ＤＣＩ）フォーマット１Ａにスケジューリングされた物理ダウンリンク共有チャネル（ＰＤＳＣＨ）パッケージを受信し、関連した伝送スキームが（１．物理放送チャネル（ＰＢＣＨ）が１つのアンテナポートをシグナリングした場合、ＳＰＳ−ＲＮＴＩによってスケジューリングされるか；または２．セル特定無線ネットワーク臨時識別子（Ｃ−ＲＮＴＩ：ｃｅｌｌ ｒａｄｉｏ ｎｅｔｗｏｒｋ ｔｅｍｐｏｒａｒｙ ｉｄｅｎｔｉｆｉｅｒ）によってスケジューリングされた）単一アンテナポート伝送なら、リソースブロックバンドリングは、ターンオンされるか、または可能になる。
【００８９】
例えば、リソースブロックバンドリングは、ユーザ装置（ＵＥ）が単一ユーザ（ＳＵ）多重入力多重出力（ＭＩＭＯ）伝送及び多重ユーザ（ＭＵ）多重入力多重出力（ＭＩＭＯ）伝送養子皆のためのリリース１０伝送モードで設定されれば、そしてユーザ装置（ＵＥ）がダウンリンク制御情報（ＤＣＩ）フォーマット２Ｃ（２個のコードワードＭＩＭＯ伝送をサポートするために使用されるリリース１０のダウンリンク制御情報フォーマット）でスケジューリングされた物理ダウンリンク共有チャネルパッケージを受信すれば、ターンオンされるか、または可能になる。
【００９０】
さらに、ユーザ装置（ＵＥ）がダウンリンク制御情報（ＤＣＩ）フォーマット１Ａでスケジューリングされた物理ダウンリンク共有チャネル（ＰＤＳＣＨ）パッケージを受信し、関連した伝送スキームが（物理放送チャネル（ＰＢＣＨ）が多重アンテナポートをシグナリングした場合であり、ＳＰＳ−ＲＮＴＩによってスケジューリングされた）伝送データ（ＴｘＤ）なら、リソースブロックバンドリングは、ターンオフされるか、または不可能になる。ユーザ装置（ＵＥ）がダウンリンク制御情報（ＤＣＩ）フォーマット１Ａでスケジューリングされた物理ダウンリンク共有チャネル（ＰＤＳＣＨ）パッケージを受信し、関連した伝送スキームが（１．物理放送チャネル（ＰＢＣＨ）が１つのアンテナポートをシグナリングした場合、ＳＰＳ−ＲＮＴＩによってスケジューリングされるか；または２．Ｃ−ＲＮＴＩによってスケジューリングされた）単一アンテナポート伝送なら、リソースブロックバンドリングは、ターンオンされるか、または可能になる。
【００９１】
本発明の他の実施例において、リソースブロックバンドリングは、特定のフィードバックモードに基づいてターンオンされるか、またはターンオフされる。
【００９２】
例えば、ユーザ装置（ＵＥ）がリリース９及びリリース１０伝送モードで設定（ｃｏｎｆｉｇｕｒｅｄ）され、プリコーディングマトリクス指示子／ランク指示子（ＰＭＩ／ＲＩ：ｐｒｅｃｏｄｉｎｇ ｍａｔｒｉｘ ｉｎｄｉｃａｔｏｒ／ｒａｎｋ ｉｎｄｉｃａｔｏｒ）フィードバックで設定されれば、リソースブロックバンドリングは、ターンオンされるか、または可能になる。そうではなければ、ユーザ装置（ＵＥ）がリリース１０及びリリース１０以上の伝送モードで設定され、ＰＭＩ／ＲＩフィードバックで設定されなければ、リソースブロックバンドリングは、ターンオフされるか、または不可能になる。これは、ＰＭＩ／ＲＩフィードバックを設定するためのアプリケーションシナリオが時分割多重化（ＴＤＤ）システムのためのものではなく、ＰＭＩ／ＲＩフィードバックを構成するためのアプリケーションシナリオが周波数分割多重化（ＦＤＤ）のためのシステムからである。時分割多重化（ＴＤＤ）で既に論議されたように、基地局（ｅＮｏｄｅＢ）は、周波数選択プリコーディングを行うためにアップリンクサウンディング（ｕｐｌｉｎｋ ｓｏｕｎｄｉｎｇ）を利用してチャネル状態情報を得ることができる。このような場合、時分割多重化のアップリンクサウンディングを利用してチャネル状態情報を得ることによって、リソースブロックバンドリングは、ターンオフされなければならない。さらに、周波数分割多重化（ＦＤＤ）システムの場合でさえ、基地局（ｅＮｏｄｅＢ）が開放ルーフ（ｏｐｅｎ−ｌｏｏｐ）動作を行うことに決定したとき、基地局（ｅＮｏｄｅＢ）は、ユーザ装置（ＵＥ）がＰＭＩ／ＲＩをフィードバックするように設定することができない。したがって、リソースブロックバンドリングは、また、基地局（ｅＮｏｄｅＢ）で柔軟な動作を勘案して、このような場合、ターンオフされる。
【００９３】
他の実施例において、ワイドバンドＣＱＩ（ｃｈａｎｎｅｌ ｑｕａｌｉｔｙ ｉｎｄｉｃａｔｏｒ）／ＰＭＩ／ＲＩ（ワイドバンドＣＱＩ）フィードバックモードで設定されれば、リソースブロックバンドリングは、ターンオンされるか、または可能になる。サブバンドＣＱＩ／ＰＭＩ／ＲＩ（サブバンドＣＱＩ）フィードバックモードで設定されれば、リソースブロックバンドリングは、ターンオフされるか、または不可能になる。
【００９４】
本発明の他の実施例において、リソースブロックバンドリングオン／オフ指示子は、基地局（ｅＮｏｄｅＢ）からユーザ装置（ＵＥ）に他のシステム指示子を通じて実現されることができる。例えば、ランク指示子（ＲＩ）があらかじめ定められた値より大きければ、リソースブロックバンドリングが可能になる。
【００９５】
本発明のさらに他の実施例において、リソースブロックバンドリングは、リリース９またはリリース１０のユーザ装置（ＵＥ）−リファレンス信号（ＲＳ）を利用して復調のために常時オン（ｏｎ）である。
【００９６】
異なる形式のフィードバックレポートを行うために、ユーザ装置（ＵＥ）は、異なるフィードバックモードの基地局（ｅＮｏｄｅＢ）によって設定される。
【００９７】
本発明の一部実施例において、リソースブロックバンドリングは、基地局（ｅＮｏｄｅＢ）によって設定される特定のフィードバックモードに基づいてターンオンまたはターンオフされる。
【００９８】
一実施例において、リソースブロックバンドリングは、特定の物理アップリンク制御チャネル（ＰＵＣＣＨ：ｐｈｙｓｉｃａｌ ｕｐｌｉｎｋ ｃｏｎｔｒｏｌ ｃｈａｎｎｅｌ）フィードバックモードに基づいてターンオンまたはターンオフされる。
【００９９】
例えば、リソースブロックバンドリングは、ユーザ装置（ＵＥ）がＰＭＩ／ＲＩ報告で設定されるとき、ターンオンされるか、または可能になる。そして、リソースブロックバンドリングは、ユーザ装置（ＵＥ）がＰＭＩ／ＲＩ報告で設定されないとき、ターンオフされるか、または不可能になる。
【０１００】
したがって、ユーザ装置（ＵＥ）がＰＭＩ／ＲＩ報告で設定されるとき、基地局（ｅＮｏｄｅＢ）でプリコーディング単位（またはプリコーディング最小単位：ｐｒｅ−ｃｏｄｉｎｇ ｇｒａｎｕｌａｒｉｔｙ）は、多重物理リソースブロック（ＲＢ）である。すなわち、基地局（ｅＮｏｄｅＢ）がバンドリングされたリソースブロックにわたって同一のプリコーディングを行う。ここで、バンドリングされたリソースブロックは、複数の連続した物理リソースブロック（ＰＲＢ）を含む。
【０１０１】
したがって、ユーザ装置（ＵＥ）がＰＭＩ／ＲＩ報告で設定されるとき、ユーザ装置（ＵＥ）でフィードバック単位（またはフィードバック最小単位：ｆｅｅｄｂａｃｋ ｇｒａｎｕｌａｒｉｔｙ）は、ユーザ装置（ＵＥ）がバンドリングされたリソースブロックにわたってチャネル推定を行うように、複数の物理リソースブロック（ＰＲＢ）に設定（ｓｅｔ）される。ここで、バンドリングされたリソースブロックは、複数の連続した物理リソースブロック（ＰＲＢ）を含む。
【０１０２】
さらに、ユーザ装置（ＵＥ）がＰＭＩ／ＲＩ報告で設定されないとき、基地局（ｅＮｏｄｅＢ）でプリコーディング単位は、単一物理リソースブロック（ＰＲＢ）である。すなわち、基地局（ｅＮｏｄｅＢ）は、１つの物理リソースブロック単位でプリコーディングを行う。
【０１０３】
したがって、ユーザ装置（ＵＥ）がＰＭＩ／ＲＩ報告で設定されないとき、ユーザ装置（ＵＥ）でフィードバック単位は、ユーザ装置（ＵＥ）が１つの物理リソースブロック単位でチャネル推定を行うように、単一リソースブロックに設定される。
【０１０４】
参照としてその全体がこの文献に記述されたように本発明の実施例に含まれる、２００９年１２月公開された、３ＧＰＰ ＴＳ ３６．２１３ ｖ ８．８．０、“Ｅ−ＵＴＲＡ、Ｐｈｙｓｉｃａｌ Ｌａｙｅｒ Ｐｒｏｃｅｄｕｒｅｓ”において、周期的なアップリンク制御チャネル（ＰＵＣＣＨ）フィードバックのモードによって、リソースブロックバンドリングは、ユーザ装置（ＵＥ）がテーブル７．２．２−１のモード１−１及びモード２−１で設定されるとき、ターンオンされるか、または可能になり、リソースブロックバンドリングは、ユーザ装置（ＵＥ）がモード１−０及びモード２−０で設定されるとき、ターンオフされるか、または不可能になる。
【０１０５】
本発明の他の実施例において、リソースブロックバンドリングは、特定の物理アップリンク共有チャネル（ＰＵＳＣＨ：ｐｈｙｓｉｃａｌ ｕｐｌｉｎｋ ｓｈａｒｅｄ ｃｈａｎｎｅｌ）フィードバックモードに基づいてターンオンされるか、またはターンオフされる。
【０１０６】
本発明の他の実施例において、リソースブロックバンドリングは、ユーザ装置（ＵＥ）が“単一ＰＭＩ”及び／または“多重ＰＭＩ”フィードバックのために設定されるとき、ターンオンされるかまたは可能になり、そうではなければ、リソースブロックバンドリングは、ターンオフされるかまたは不可能になる。
【０１０７】
例えば、リソースブロックバンドリングは、ユーザ装置（ＵＥ）が“単一ＰＭＩ”フィードバックのために設定されるとき、ターンオンされるかまたは可能になり、リソースブロックバンドリングは、ユーザ装置（ＵＥ）が“ＰＭＩ無し”または“多重ＰＭＩ”フィードバックのために設定されるとき、ターンオフされるか、または不可能になる。
【０１０８】
他の実施例において、リソースブロックバンドリングは、ユーザ装置（ＵＥ）が“単一ＰＭＩ”及び“多重ＰＭＩ”フィードバックのために設定されるとき、ターンオンされるかまたは可能になり、リソースブロックバンドリングは、ユーザ装置（ＵＥ）が“ＰＭＩ無し”フィードバックのために設定されるとき、ターンオフされるか、または不可能になる。
【０１０９】
さらに他の実施例において、リソースブロックバンドリングは、ユーザ装置（ＵＥ）が“多重ＰＭＩ”フィードバックのために設定されるとき、ターンオンされるかまたは可能になり、リソースブロックバンドリングは、ユーザ装置（ＵＥ）が“ＰＭＩ無し”または“単一ＰＭＩ”フィードバックのために設定されるとき、ターンオフされるか、または不可能になる。
【０１１０】
例えば、２００９年１２月公開された、３ＧＰＰ ＴＳ ３６．２１３ ｖ ８．８．０、“Ｅ−ＵＴＲＡ、Ｐｈｙｓｉｃａｌ Ｌａｙｅｒ Ｐｒｏｃｅｄｕｒｅｓ”において、非周期的アップリンク共有チャネル（ＰＵＳＣＨ）フィードバックのモードによって、リソースブロックバンドリングは、ユーザ装置（ＵＥ）がモード３−１で設定されるとき、ターンオンまたは可能になり、他のフィードバックモードでは、リソースブロックバンドリングは、ターンオフされるか、または不可能になる。
【０１１１】
リソースブロックバンドリングがターンオンされるか、または可能になれば、リソースブロックバンドリングの単位（または最小単位：ｇｒａｎｕｌａｒｉｔｙ）が決定されなければならない。前述したように、リソースブロックバンドリングの単位は、チャネル推定及び復調のために使用される連続した物理リソースブロック（ＰＲＢ）の数による。
【０１１２】
本発明の一部実施例において、リソースブロックバンドリング単位は、ダウンリンクリソース割り当ての単位に設定される。
【０１１３】
例えば、その全体がこの文献に記述されたように参照として本発明の実施例に含まれる、２００９年１２月公開された、３ＧＰＰ ＴＳ ３６．２１１ ｖ ８．８．０、“Ｅ−ＵＴＲＡ、Ｐｈｙｓｉｃａｌ ｃｈａｎｎｅｌｓ ａｎｄ ｍｏｄｕｌａｔｉｏｎ”において、ダウンリンクリソース割り当て（ｒｅｓｏｕｒｃｅ ａｌｌｏｃａｔｉｏｎ）の単位は、リソースブロックグループ（ＲＢＧ）であり、リソースブロックグループ（ＲＢＧ）のサイズは、全体システム帯域幅に依存する。したがって、リソースブロックバンドリングの単位は、リソースブロックグループ（ＲＢＧ）サイズになることができる。
【０１１４】
本発明の他の実施例において、リソースブロックバンドリング単位は、フィードバック単位に設定される。フィードバック単位は、ＰＭＩ／ＣＱＩ／ＲＩフィードバックを行うためにユーザ装置（ＵＥ）によって使用される連続したリソースブロック（ＲＢ）の数による。
【０１１５】
例えば、２００９年１２月公開された、３ＧＰＰ ＴＳ ３６．２１１ ｖ ８．８．０、“Ｅ−ＵＴＲＡ、Ｐｈｙｓｉｃａｌ ｃｈａｎｎｅｌｓ ａｎｄ ｍｏｄｕｌａｔｉｏｎ”において、アップリンク共有チャネル（ＰＵＳＣＨ）フィードバックのためのフィードバック単位は、上位階層設定サブバンドフィードバックまたはユーザ装置選択サブバンドフィードバックのためにセクション７．２．１に定義されたサブバンドサイズである。アップリンク共有チャネル（ＰＵＳＣＨ）フィードバックのフィードバック単位は、セクション７．２．２に定義されている。
【０１１６】
したがって、一部の実施例において、リソースブロックバンドリング単位は、全体システム帯域幅の機能としてアップリンク制御チャネル（ＰＵＣＣＨ）フィードバックのサブバンドサイズに設定される。
【０１１７】
代案的に、リソースブロックバンドリング単位は、アップリンク共有チャネルフィードバックのサブバンドサイズに関連する。
【０１１８】
例えば、リソースブロックバンドリングが特有のフィードバックモードで設定する基地局（ｅＮｏｄｅＢ）によってターンオンされるか、または可能になれば、リソースブロック（ＲＢ）の単位は、対応するフィードバックモードのサブバンドサイズである。
【０１１９】
図１０は、本発明の実施例によって一緒にバンドリングされたサブバンドを示す。
【０１２０】
本発明のさらに他の実施例において、リソースブロックバンドリング単位は、ダウンリンクリソース割り当て単位とともにフィードバック単位によって共同で決定されるように設定される。フィードバック単位は、ＰＭＩ／ＣＱＩ／ＲＩフィードバックを行うためにユーザ装置（ＵＥ）によって使用される連続したリソースブロック（ＲＢ）の数による。
【０１２１】
ユーザ装置（ＵＥ）がアップリンク共有チャネル“多重ＰＭＩ”フィードバックを有するように設定されるとき、基地局（ｅＮｏｄｅＢ）は、ユーザ装置（ＵＥ）フィードバックサブバンドサイズに基づいてダウンリンクプリコーディングを行うことができる。そして、ユーザ装置（ＵＥ）は、図１０に示されたように、一緒にバンドリングされた同一のサブバンドからダウンリンクリソース割り当てのリソースブロック（ＲＢ）を推定することができる。
【０１２２】
図１０で、第１サブバンド１０１０は、第１リソースブロックバンドル１００１を含み、第２サブバンド１０２０は、第２リソースブロックバンドル１０１１を含む。第１リソースブロックバンドル１００１及び第２リソースブロックバンドル１０１１は、リソースブロックグループ（ＲＢＧ）１０３０を形成するために一緒にバンドリングされる。
【０１２３】
本発明の追加実施例において、リソースブロックバンドリング単位は、設定されたフィードバックモードに関連したサブバンドサイズによって設定される。
【０１２４】
そのような一実施例において、リソースブロックバンドリング単位は、設定されたアップリンク共有チャネル（ＰＵＳＣＨ）フィードバックモードによる。
【０１２５】
例えば、ワイドバンドフィードバックで設定されるとき（モード３−１）、すべての割り当てられたリソースブロック（ＲＢ）は、チャネル推定及び復調を行うためにバンドリングされる。
【０１２６】
他の実施例において、サブバンドフィードバックで設定されるとき（モード１−２、モード２−２）、リソースブロックバンドリングは、ユーザ装置（ＵＥ）アップリンク共有チャネル（ＰＵＳＣＨ）フィードバック及び／またはリソースブロックグループ（ＲＢＧ）サイズからのサブバンドサイズに従う。
【０１２７】
追加的な例において、“ＰＭＩ無し”フィードバックで設定されるとき（モード２−０、モード３−０）、リソースブロックバンドリングは、ターンオフされるか、または不可能になる。
【０１２８】
本発明の一部の実施例において、リソースブロックバンドリング単位は、設定されたアップリンク制御チャネル（ＰＵＣＣＨ）フィードバックモードに依存する。
【０１２９】
例えば、ワイドバンドフィードバックで設定されるとき（モード１−１、モード２−１）、リソースブロックバンドリングは、アップリンク制御チャネル（ＰＵＣＣＨ）フィードバック（フィードバックサブバンドサイズで設定された上位階層）及び／またはリソースブロックグループ（ＲＢＧ）サイズからのサブバンドサイズに従う。
【０１３０】
例えば、“ＰＭＩ無し”フィードバックで設定されるとき（モード１−０、モード２−０）、リソースブロックバンドリングは、ターンオフされるか、または不可能になる。
【０１３１】
本発明の一部実施例において、リソースブロックバンドリングのサイズは、固定されることができる。
【０１３２】
例えば、リソースブロックバンドリングのサイズは、２００９年、１１月、サムスンによって、Ｒ１−０９４５７５、“Ｄｉｓｃｕｓｓｉｏｎ ｏｎ ＤＭ−ＲＳ ｆｏｒ ＬＴＥ−Ａｄｖａｎｃｅｄ”で、提案されたような、上位ランクに対してユーザ装置リファレンス信号（ＵＥ−ＲＳ）パターンのパターンローテーションを利用するために偶数番号になることができる。Ｒ１−０９４５７５は、その全体が本文献に記述されたように参照として本発明の実施例に含まれる。
【０１３３】
図１１は、本発明の実施例によるダウンリンク制御情報（ＤＣＩ）フォーマット２Ｃ １１００を示す。
【０１３４】
図１１に示されたように、本発明の一部実施例において、ダウンリンク制御情報（ＤＣＩ）フォーマット２Ｃ １１００は、単一ユーザ及び多重ユーザ多重入力多重出力の動的スイチングをサポートするためにダウンリンク制御情報（ＤＣＩ）フォーマットに設定される復調リファレンス信号（ＤＭＲＳ）インデックス及び選択された復調リファレンス信号（ＤＭＲＳ）パターンの組合の指示子（ｉｎｄｉｃａｔｉｏｎ）に対する新しいＮ３−ビットを追加することによって構成される。ダウンリンク制御情報（ＤＣＩ）フォーマット２Ｂで不活性化された伝送ブロック（ＴＢ）の新規データ指示子（ＮＤＩ）ビットは、リリース９ＬＴＥのランク−１指示子の場合、復調リファレンス信号（ＤＭＲＳ）インデックスを示すために使用される。したがって、この実施例は、制限されたサブセットのランク−１状態を示すためにＮ３ビットフィールド１１０５の新規Ｎ３ビット、及び新規データ指示子（ＮＤＩ）フィールド１１０１または新規データ指示子（ＮＤＩ）フィールド１１０３の新規データ指示子（ＮＤＩ）ビットのような、不活性化された伝送ブロック（ＴＢ）の新規データ指示子（ＮＤＩ）ビットの組合によって構成されるコードポイントを使用する。
【０１３５】
図１２は、本発明の実施例による制限されたサブセットを説明するテーブル１２００を示す。
【０１３６】
一部の実施例において、制限されたサブセットＡの状態は、ダウンリンク制御情報（ＤＣＩ）フォーマット２Ｃによってシグナリングされる。ここで、制限されたサブセットＡは、その例としてテーブル１２００に示される。特殊な実施例において、制限されたサブセットＡは、ランク−２パターンＡ及びＢからすべての可能な状態が含まれ、ランク−４からランク−２状態が含まれず、ランク−８からただ上位ランク状態が含まれるように、構成される。
【０１３７】
このサブセット制限の動機（ｍｏｔｉｖａｔｉｏｎ）は、次の通りである：
【０１３８】
−ランク１及びランク２伝送は、最小のユーザ装置リファレンス信号（ＵＥ−ＲＳ）オーバーヘッドでサポートされる。
【０１３９】
−ＭＵ−ＭＩＭＯは、ランク−２及びランク−４パターンで直交するユーザ装置リファレンス信号（ＵＥ−ＲＳ）でランク−１のみに対して明示的にサポートされる。そして
【０１４０】
−上位リファレンス信号（ＲＳ）オーバーヘッドは、ランク３またはそれ以上だけで許容される。
【０１４１】
図１３は、本発明の実施例によってダウンリンク制御情報（ＤＣＩ）フォーマット２Ｃのコードポイントに対して制限されたサブセットの状態をマッピングすることを説明するテーブル １３００を示す。
【０１４２】
図１３は、ダウンリンク制御情報（ＤＣＩ）フォーマット２Ｃのコードポイントに対して制限されたサブセットＡの状態をマッピングする一実施例を示す。
【０１４３】
図１４は、本発明の他の実施例による制限されたサブセットを説明するテーブル１４００を示す。
【０１４４】
この実施例において、制限されたサブセットＢの状態は、ダウンリンク制御情報（ＤＣＩ）フォーマット２Ｃによってシグナリングされる。この実施例において、制限されたサブセットＢは、ランク−２パターンＡ及びＢからすべての可能な状態が含まれ、ランク−４からランク−２状態が含まれず、ランク−８からただ上位ランク状態が含まれるように、構成される。このサブセット制限の動機（ｍｏｔｉｖａｔｉｏｎ）は、次の通りである：
【０１４５】
・ＭＵ−ＭＩＭＯは、ランク−２及びランク−４の直交するユーザ装置リファレンス信号（ＵＥ−ＲＳ）でランク−１のみに対して明示的にサポートされる。
【０１４６】
・ＭＵ−ＭＩＭＯは、ランク−４パターンで直交するユーザ装置リファレンス信号（ＵＥ−ＲＳ）でランク−２のみに対して明示的にサポートされる。そして
【０１４７】
・上位リファレンス信号（ＲＳ）オーバーヘッドは、ランク２またはそれ以上だけで許容される。
【０１４８】
図１５は、本発明の実施例によってダウンリンク制御情報（ＤＣＩ）フォーマット２Ｃのコードポイントに対して制限されたサブセットの状態をマッピングすることを説明するテーブル１５００を示す。
【０１４９】
図１５は、ダウンリンク制御情報（ＤＣＩ）フォーマット２Ｃのコードポイントに対して制限されたサブセットＢの状態をマッピングする一実施例を示す。
【０１５０】
図１６は、本発明の一実施例による基地局（ＢＳ）を動作させる方法１６００を示す。
【０１５１】
方法１６００は、加入者局に第１フィードバックモードまたは第２フィードバックモードの指示子を伝送する段階（ブロック１６０１）と、第１フィードバックモードが指示子によって指示されるか否かを判断する段階（ブロック１６０３）を含む。また、方法１６００は、指示子によって第１フィードバックモードが指示されれば、基地局がバンドリングされたリソースブロックにわたって同一のプリコーディングを行うように、周波数ドメインで多重物理リソースブロック（ＰＢＲ）に対して基地局でプリコーディング単位を設定する段階（ブロック１６０５）を含む。ここで、バンドリングされたリソースブロックは、周波数ドメインで複数の連続した物理リソースブロック（ＰＲＢ）を含む。そして、方法１６００は、第２フィードバックモードが指示子によって指示されれば、１つの物理リソースブロック（ＰＲＢ）に対して基地局でプリコーディング単位を設定する段階（ブロック１６０７）を含む。方法１６００は、加入者局からフィードバックを受信する段階（ブロック１６０９）をさらに含む。
【０１５２】
図１７は、本発明の一実施例による加入者局を動作させる方法１７００を示す。
【０１５３】
方法１７００は、基地局から第１フィードバックモードまたは第２フィードバックモードの指示子を受信する段階（ブロック１７０１）と、第１フィードバックモードが指示子によって指示されるか否かを判断する段階（ブロック１７０３）とを含む。また、前記方法１７００は、第１フィードバックモードが指示子によって指示されれば、バンドリングされたリソースブロックにわたってチャネル推定を行う段階（ブロック１７０５）を含む。ここで、バンドリングされたリソースブロックは、周波数ドメインで複数の連続した物理リソースブロック（ＰＲＢ）を含む。そして前記方法１７００は、第２フィードバックモードが指示子によって指示されれば、ただ１つの物理リソースブロック（ＰＲＢ）単位当たりチャネル推定を行う段階（ブロック１７０７）を含む。方法１７００は、基地局にフィードバックでチャネル推定を伝送する段階（ブロック１７０９）をさらに含む。
【０１５４】
図１８は、本発明の他の実施例による基地局を動作させる方法１８００を示す。
【０１５５】
方法１８００は、加入者局がプリコーディングマトリクス指示子／ランク指示子（ＰＭＩ／ＲＩ）報告で設定されるか否かを示す指示子を伝送する段階（ブロック１８０１）と、加入者局がＰＭＩ／ＲＩ報告で設定されるか否かを判断する段階（ブロック１８０３）とを含む。また、方法１８００は、加入者局がＰＭＩ／ＲＩ報告で設定されれば、基地局がバンドリングされたリソースブロックにわたって同一のプリコーディングを行うように、基地局でプリコーディング単位を周波数ドメインで複数の物理リソースブロック（ＰＲＢ）に設定する段階（ブロック１８０５）と、を含む。ここで、バンドリングされたリソースブロックは、周波数ドメインで複数の連続した物理リソースブロック（ＰＲＢ）を含む。そして、方法１８００は、加入者局がＰＭＩ／ＲＩ報告によって設定されなければ、基地局でプリコーディング単位を１つの物理リソースブロック（ＰＲＢ）に設定する段階（ブロック１８０７）を含む。方法１８００は、加入者局からフィードバックを受信する段階（ブロック１８０９）をさらに含む。
【０１５６】
図１９は、本発明の他の実施例による加入者局を動作させる方法１９００を示す。
【０１５７】
方法１９００は、基地局から加入者局がプリコーディングマトリクス指示子／ランク指示子（ＰＭＩ／ＲＩ）報告で設定されるか否かを示す指示子を受信する段階（ブロック１９０１）と、加入者局がＰＭＩ／ＲＩ報告で設定されるか否かを判断する段階（ブロック１９０３）とを含む。また、方法１９００は、加入者局がＰＭＩ／ＲＩ報告で設定されられれば、バンドリングされたリソースブロックにわたってチャネル推定を行う段階（ブロック１９０５）を含む。ここで、バンドリングされたリソースブロックは、周波数ドメインで複数の連続した物理リソースブロック（ＰＲＢ）を含む。そして、方法１９００は、加入者局がＰＭＩ／ＲＩ報告で設定されなければ、ただ１つの物理リソースブロック（ＰＲＢ）単位当たりチャネル推定を行う段階（ブロック１９０７）を含む。方法１９００は、基地局にフィードバックでチャネル推定を伝送する段階（ブロック１９０９）をさらに含む。
【０１５８】
以上、実施例を通じて本発明を説明したが、この技術分野における通常の知識を有する者によって多様な変更及び修正が提案されることができる。添付の請求範囲に範囲内のものなら、そのような変更及び修正は、本発明の権利範囲に属する。
【符号の説明】
【０１５９】
１００ 無線ネットワーク
１０１〜１０３ 基地局（ＢＳ）
１１１〜１１６ 加入者局
１２０ カバレージ領域
１３０ インターネット
２００ 直交周波数分割多重接続（ＯＦＤＭＡ）伝送経路
３００ 直交周波数分割多重接続（ＯＦＤＭＡ）受信経路
２０５ チャネルコーディング及び変調ブロック
２１０、２６５ シリアル-パラレルブロック
２２０、２７５ パラレル-シリアルブロック
２１５ 逆高速フーリエ変換（ＩＦＦＴ）ブロック
２２５ サイクリックプレフィックス（ＣＰ）挿入ブロック
２３０ アップコンバータ（ＵＣ：ｕｐ−ｃｏｎｖｅｒｔｅｒ）
２５５ ダウンコンバータ（ＤＣ：ｄｏｗｎ−ｃｏｎｖｅｒｔｅｒ）
２９０ リファレンス信号多重化器
２９５ リファレンス信号割当器
２６０ サイクリックプレフィックス（ＣＰ）除去ブロック
２７０ サイズＮの高速フーリエ変換（ＦＦＴ）ブロック
２８０ チャネルデコーディング及び復調ブロック
【図１】
2014241633.tif 000005
【図２】
2014241633.tif 000006
【図３】
2014241633.tif 000007
【図４】
2014241633.tif 000008
【図５】
2014241633.tif 000009
【図６】
2014241633.tif 000010
【図７】
2014241633.tif 000011
【図８】
2014241633.tif 000012
【図９】
2014241633.tif 000013
【図１０】
2014241633.tif 000014
【図１１】
2014241633.tif 000015
【図１２】
2014241633.tif 000016
【図１３】
2014241633.tif 000017
【図１４】
2014241633.tif 000018
【図１５】
2014241633.tif 000019
【図１６】
2014241633.tif 000020
【図１７】
2014241633.tif 000021
【図１８】
2014241633.tif 000022
【図１９】
2014241633.tif 000023